(57)【要約】【課題】適正位置への電子部品の搭載をより確実に図ることができるとともに、少なくとも接着剤の塗布状態を適切に検査する。【解決手段】基板検査装置は、画像データに基づいて、電子部品が実装される２以上の半田を含んでなる半田群の位置情報である実半田位置情報Ｐｊｈを生成する画像処理手段４５と、接着剤の基準検査位置及び／又は基準検査範囲を示す理想接着剤検査基準情報Ｋｒｓを生成する理想接着剤検査基準情報生成手段４７とを備える。接着剤の硬化温度は、半田の溶融温度よりも高いものとされる。実装位置調整情報Ｃｊｉとして、設計データ上又は製造データ上における半田群の位置を示す理想半田位置情報Ｐｒｈに対する実半田位置情報Ｐｊｈの位置ずれ量及び位置ずれ方向に基づいた情報を部品実装機に出力する。少なくとも接着剤については、理想接着剤検査基準情報Ｋｒｓを基準として検査する。【選択図】      図５
2018128359.tif 000002
【特許請求の範囲】
【請求項１】
半田印刷機により基板上に印刷された半田に対して電子部品を実装する部品実装機の上流側において、前記基板に塗布された熱硬化性の接着剤及び前記半田を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記半田群に含まれる前記半田の基準検査位置及び／又は基準検査範囲を示す理想半田検査基準情報を生成する理想半田検査基準情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
前記半田群に含まれる各半田については、前記実装位置調整情報の分だけ前記理想半田検査基準情報をずらして得た実検査基準情報を基準として検査する一方、前記接着剤については、前記理想接着剤検査基準情報を基準として検査することを特徴とする基板検査装置。
【請求項２】
半田印刷機により基板上に印刷された半田に対して電子部品を実装する部品実装機の上流側において、前記基板に塗布された熱硬化性の接着剤及び前記半田のうち少なくとも前記接着剤を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
少なくとも前記接着剤については、前記理想接着剤検査基準情報を基準として検査することを特徴とする基板検査装置。
【請求項３】
前記接着剤は、絶縁性の接着剤であり、
所定のリフロー工程を行う前において、前記基板上に印刷された前記半田と前記基板に塗布された前記接着剤とが重なる領域の面積を求め、当該面積に基づき半田付けの良否を判定することを特徴とする請求項１又は２に記載の基板検査装置。
【請求項４】
前記接着剤は、絶縁性の接着剤であり、
所定のリフロー工程を行う前において、前記半田に搭載される前記電子部品の電極部の配置予定領域と前記基板に塗布された前記接着剤とが重なる領域の面積を求め、当該面積に基づき半田付けの良否を判定することを特徴とする請求項１乃至３のいずれか１項に記載の基板検査装置。
【発明の詳細な説明】
【技術分野】
【０００１】
本発明は、プリント基板等に代表される基板を検査するための基板検査装置に関する。
【背景技術】
【０００２】
一般に、プリント基板上に電子部品を実装する場合、まずプリント基板上に配設された電極パターン上にクリーム半田が印刷される。次いで、クリーム半田が印刷されたプリント基板に対し、クリーム半田の粘性に基づいて電子部品が仮止めされる。また、電子部品が実装されたプリント基板を所定のリフロー炉に通す際などにおいて、電子部品が脱落してしまうことなどを防止すべく、プリント基板上に熱硬化性の接着剤を塗布することがある。そして、電子部品の実装後、プリント基板がリフロー炉へ導かれ、所定のリフロー工程を経ることで半田付けが行われる。一般に電子部品は、複数の電極部（電極やリード）を備えており、各電極部はそれぞれ異なるクリーム半田に対して接合される。すなわち、複数のクリーム半田からなる半田群に対して１つの電子部品が実装される。
【０００３】
ところで、リフロー工程の前段階においては、接着剤の塗布状態やクリーム半田の印刷状態に関する検査が行われる。このような検査を行うための検査装置としては、クリーム半田の印刷状態の判定を行う検査アルゴリズムを利用して、接着剤の塗布状態の検査を行うものが知られている（例えば、特許文献１等参照）。
【０００４】
また、クリーム半田の印刷状態の検査を行うための検査装置としては、リフロー工程においてセルフアライメント効果が発揮される点を考慮したものが提案されている。セルフアライメント効果は、リフロー工程によって溶融されたクリーム半田が、電極パターン表面に沿って濡れ広がる作用によってもたらされる。この種の検査装置としては、実際に印刷されているクリーム半田の位置に対応して、電子部品（半田群）単位で検査の基準位置を所定量だけオフセットし、このオフセットした基準位置に基づいて各クリーム半田における印刷状態を検査するものが提案されている（例えば、特許文献２等参照）。また、この検査装置においては、電子部品の実装位置に関する情報として、電子部品の実装基準位置から前記所定量だけオフセットした位置の情報が部品実装機へと出力される。
【先行技術文献】
【特許文献】
【０００５】
【特許文献１】特開２００２−３２８１００号公報
【特許文献２】特開２００９−１９２２８２号公報
【発明の概要】
【発明が解決しようとする課題】
【０００６】
ところで、接着剤の硬化温度がクリーム半田の溶融温度よりも低い場合には、クリーム半田の溶融前に接着剤が硬化してしまうため、セルフアライメント効果が十分に発揮されないおそれがある。従って、電子部品の実装位置に関する情報として、電子部品の実装基準位置から前記所定量だけオフセットした位置の情報を部品実装機に出力してしまうと、電子部品が誤った位置に搭載されてしまうおそれがある。
【０００７】
一方、接着剤の硬化温度がクリーム半田の溶融温度よりも高い場合には、セルフアライメント効果が発揮され得る。このようなセルフアライメント効果が発揮される条件下では、接着剤の塗布状態の検査を行うにあたって、前者（特許文献１）の検査装置における検査手法に対し後者（特許文献２）の検査装置における検査手法を適用した技術を用いることが考えられる。すなわち、クリーム半田の印刷状態の判定を行う検査アルゴリズムにおいて検査の基準位置に関する情報を所定量だけオフセットし、このオフセットした基準位置に関する情報に基づき、接着剤の塗布状態を検査するといった手法を用いることが考えられる。
【０００８】
しかしながら、クリーム半田や電子部品はセルフアライメント効果により移動する一方、接着剤は通常移動しない。従って、不適正位置に塗布された接着剤が、セルフアライメント効果によって、リフロー工程後に適正位置に移動するといったことはない。そのため、上述のようにオフセットされた基準位置に関する情報に基づいて接着剤の塗布状態を検査した場合には、接着剤の塗布状態を適切に検査することができないおそれがある。例えば、検査において良と判定されたとしても、接着剤の実際の塗布状態は不良であるといったことが生じ得る。
【０００９】
本発明は、上記事情に鑑みてなされたものであり、その目的は、適正位置への電子部品の搭載をより確実に図ることができるとともに、少なくとも接着剤の塗布状態を適切に検査することができる基板検査装置を提供することにある。
【課題を解決するための手段】
【００１０】
以下、上記目的を解決するのに適した各手段につき、項分けして説明する。なお、必要に応じて対応する手段に特有の作用効果を付記する。
【００１１】
手段１．半田印刷機により基板上に印刷された半田に対して電子部品を実装する部品実装機の上流側において、前記基板に塗布された熱硬化性の接着剤及び前記半田を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記半田群に含まれる前記半田の基準検査位置及び／又は基準検査範囲を示す理想半田検査基準情報を生成する理想半田検査基準情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
前記半田群に含まれる各半田については、前記実装位置調整情報の分だけ前記理想半田検査基準情報をずらして得た実検査基準情報を基準として検査する一方、前記接着剤については、前記理想接着剤検査基準情報を基準として検査することを特徴とする基板検査装置。
【００１２】
尚、「（「実」又は「理想」）半田位置情報」とは、基板に対する半田群の相対的な位置を表すものであり、例えば、半田群に含まれる各半田が基板に対して占める領域（半田領域）の中心や重心、半田領域に外接する矩形の中心や重心、各半田領域の中点や重心（例えば、各半田領域における前記中心や重心の中点や重心）を挙げることができる。
【００１３】
「理想搭載位置情報」とは、データ上の半田位置などに基づいて生成された、電子部品の理想的な搭載位置を表すものである。この情報としては、例えば、理想半田位置情報自体や、各半田領域の中点、重心等を挙げることができる。
【００１４】
「搭載予定位置情報」とは、実際に印刷されている半田に基づいて生成された、電子部品の実装予定位置を表すものである。この情報としては、例えば、実半田位置情報自体や、各半田領域の中点、重心等を挙げることができる。
【００１５】
「理想半田検査基準情報」とは、データ上における半田の検査位置や検査範囲を表すものである。この情報としては、例えば、理想半田位置情報や、データ上における半田の占める領域（理想半田領域）に基づいて生成された検査窓（理想半田検査窓）、データ上における半田領域の中心や重心等を挙げることができる。
【００１６】
「理想接着剤検査基準情報」とは、データ上における接着剤の検査位置や検査範囲を表すものである。この情報としては、例えば、データ上における接着剤の塗布位置に関する情報（理想接着剤位置情報）や、データ上における接着剤の占める領域（理想接着剤領域）に基づいて生成された検査窓（理想接着剤検査窓）、データ上における接着剤領域の中心や重心等を挙げることができる。
【００１７】
「実装位置調整情報」とは、データ上の半田群に対する、実際に印刷された半田群の位置ずれ量や位置ずれ方向の程度を示す情報であり、ベクトル情報や回転角度情報などにより表される。
【００１８】
「実検査基準情報」とは、実際に印刷された半田の検査基準位置や検査基準範囲を表す情報である。この情報としては、例えば、理想半田検査基準情報（座標情報や検査窓）を所定のベクトル成分だけ移動したものや、理想半田検査基準情報（座標情報や検査窓）を所定の回転角度だけ回転させたものなどを挙げることができる。
【００１９】
上記手段１によれば、接着剤の硬化温度が半田の溶融温度よりも高いものとされている。従って、セルフアライメント効果を発揮させることができる。
【００２０】
その上で、実装位置調整情報として、理想半田位置情報に対する実半田位置情報の位置ずれ量及び位置ずれ方向に基づいた情報が部品実装機に出力される。従って、セルフアライメント効果を考慮した位置に電子部品を配置することができ、適正位置に対する電子部品の搭載をより確実に図ることができる。また、検査処理において生成された情報を実装工程において活用することができるため、実装工程において検査処理と同様の処理を重複して行う必要がなくなり、生産効率の向上を図ることができる。
【００２１】
一方、上記手段１によれば、セルフアライメント効果が発揮される条件ではあるが、接着剤については、理想接着剤検査基準情報に基づき検査が行われる。すなわち、セルフアライメント効果が発揮される条件下であっても接着剤が移動しない点を踏まえ、設計データや製造データ上における接着剤の位置や領域（最終的に得られる基板における接着剤の理想的な位置や領域）に基づき、接着剤の塗布状態が検査される。従って、接着剤の塗布状態を適切に検査することができる。その結果、接着剤が適切に塗布されていない基板に対する電子部品の実装などを防止することができ、歩留まりの向上や生産コストの増大抑制を図ることができる。
【００２２】
また、上記のように接着剤は理想接着剤検査基準情報に基づき検査される一方、電子部品が搭載される半田群の各半田は、理想的な印刷状態の半田に対する検査基準位置（理想半田検査基準情報）を実装位置調整情報の分だけずらすことで得られた検査基準位置（実検査基準情報）を基準として検査が行われる。すなわち、セルフアライメント効果が発揮され得る点を考慮し、実際に印刷されている半田の位置に基づいて電子部品（半田群）単位で検査の基準位置を変更し、この変更した基準位置に基づいて各半田の検査が行われる。従って、例えば、半田群に含まれる各半田の位置ずれ量が比較的大きいものの、位置ずれ量及び位置ずれ方向が略一定であり、セルフアライメント効果によって半田等が適正位置に配置されることが期待される場合には、「良」と判定することができる。一方、例えば、個々の半田の位置ずれ量が比較的小さなものではあるが、個々の半田の位置ずれ方向にばらつきがあり、電子部品を適正に実装できないおそれがある場合には、結果的に特定の半田が検査基準位置から大きくずれることとなるため、「不良」と判定することができる。このように上記手段１によれば、セルフアライメント効果を考慮して、半田の印刷状態を適切に検査することができる。これにより、接着剤の塗布状態を適切に検査できることと相俟って、歩留まりの向上及び生産コストの増大抑制をより効果的に図ることができる。
【００２３】
手段２．半田印刷機により基板上に印刷された半田に対して電子部品を実装する部品実装機の上流側において、前記基板に塗布された熱硬化性の接着剤及び前記半田のうち少なくとも前記接着剤を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
少なくとも前記接着剤については、前記理想接着剤検査基準情報を基準として検査することを特徴とする基板検査装置。
【００２４】
上記手段２によれば、接着剤の硬化温度が半田の溶融温度よりも高いものとされている。従って、セルフアライメント効果を発揮させることができる。
【００２５】
その上で、実装位置調整情報として、理想半田位置情報に対する実半田位置情報の位置ずれ量及び位置ずれ方向に基づいた情報が部品実装機に出力される。従って、セルフアライメント効果を考慮した位置に電子部品を配置することができ、適正位置に対する電子部品の搭載をより確実に図ることができる。また、検査処理において生成された情報を実装工程において活用することができるため、実装工程において検査処理と同様の処理を重複して行う必要がなくなり、生産効率の向上を図ることができる。
【００２６】
一方、上記手段２によれば、セルフアライメント効果が発揮される条件ではあるが、少なくとも接着剤については、理想接着剤検査基準情報に基づき検査が行われる。すなわち、セルフアライメント効果が発揮される条件下であっても接着剤が移動しない点を踏まえ、設計データや製造データ上における接着剤の位置や領域（最終的に得られる基板における接着剤の理想的な位置や領域）に基づき、接着剤の塗布状態が検査される。従って、接着剤の塗布状態を適切に検査することができる。その結果、接着剤が適切に塗布されていない基板に対する電子部品の実装などを防止することができ、歩留まりの向上や生産コストの増大抑制を図ることができる。
【００２７】
手段３．前記接着剤は、絶縁性の接着剤であり、
所定のリフロー工程を行う前において、前記基板上に印刷された前記半田と前記基板に塗布された前記接着剤とが重なる領域の面積を求め、当該面積に基づき半田付けの良否を判定することを特徴とする手段１又は２に記載の基板検査装置。
【００２８】
リフロー工程後において、セルフアライメント効果により、接着剤や半田、電子部品が適正位置に配置される場合であっても、リフロー工程前に、半田に対し絶縁性の接着剤が多量に付着していると、半田を介した導電性が不十分になってしまい、半田付けが不良とってしまうおそれがある。
【００２９】
この点、上記手段３によれば、接着剤と半田との重なり面積（接着剤及び半田を平面視したときにおける両者の重なる領域の面積）に基づき、半田付けの良否が判定される。従って、リフロー工程後において、一見すると半田や電子部品などが適正位置に配置されている場合であっても、半田付けが実際には不良であるということを適切に把握できる。これにより、検査精度の向上を図ることができる。
【００３０】
手段４．前記接着剤は、絶縁性の接着剤であり、
所定のリフロー工程を行う前において、前記半田に搭載される前記電子部品の電極部の配置予定領域と前記基板に塗布された前記接着剤とが重なる領域の面積を求め、当該面積に基づき半田付けの良否を判定することを特徴とする手段１乃至３のいずれかに記載の基板検査装置。
【００３１】
尚、「電極部」とあるのは、半田に配設される導電性の部材であり、例えば、電極やリードなどを挙げることができる。
【００３２】
リフロー工程後において、セルフアライメント効果により、接着剤や半田、電子部品が適正位置に配置される場合であっても、リフロー工程前に、電極部に対し絶縁性の接着剤が多量に付着していると、電極部を介した導電性が不十分になってしまい、半田付けが不良となってしまうおそれがある。
【００３３】
この点、上記手段４によれば、絶縁性の接着剤と電極部の配置予定領域との重なり面積（接着剤及び電極部の配置予定領域を平面視したときにおける両者の重なる領域の面積）に基づき、半田付けの良否が判定される。従って、リフロー工程後において、一見すると半田や電子部品などが適正位置に配置されている場合であっても、半田付けが実際には不良であるということを適切に把握できる。これにより、検査精度の一層の向上を図ることができる。
【図面の簡単な説明】
【００３４】
【図１】製造システムの概略構成を示すブロック図である。
【図２】プリント基板の概略構成を示す部分拡大平面図である。
【図３】プリント基板の概略構成を示す部分拡大断面図である。
【図４】基板検査装置の概略構成などを示す模式図である。
【図５】制御装置の構成などを示すブロック図である。
【図６】検査処理のフローチャートである。
【図７】第一抽出生成処理のフローチャートである。
【図８】第二抽出生成処理のフローチャートである。
【図９】検査処理の説明において利用する半田の印刷状態を示す平面模式図である。
【図１０】理想半田領域及び理想半田位置情報を示す平面模式図である。
【図１１】半田用サーチエリアを示す平面模式図である。
【図１２】半田塊などを示す平面模式図である。
【図１３】実半田領域や実半田位置情報などを示す平面模式図である。
【図１４】実接着剤領域などを示す平面模式図である。
【図１５】理想半田検査基準情報を示す平面模式図である。
【図１６】理想接着剤検査基準情報を示す平面模式図である。
【図１７】実装位置調整情報などを示す平面模式図である。
【図１８】電極部配置領域を示す平面模式図である。
【図１９】実検査基準情報を示す平面模式図である。
【図２０】実検査基準情報や理想接着剤検査基準情報を用いた、半田や接着剤の検査を説明するための平面模式図である。
【図２１】接着剤及び半田の位置関係が不適正である場合の実接着剤領域などを示す平面模式図である。
【図２２】接着剤及び電極部の配置予定領域の位置関係が不適正である場合の実接着剤領域などを示す平面模式図である。
【図２３】セルフアライメント効果によって、半田等が適正位置に配置されることを示すための平面模式図である。
【図２４】半田付け不良であっても、セルフアライメント効果によって半田等が適正位置に配置され得ることを示すための平面模式図である。
【発明を実施するための形態】
【００３５】
以下、一実施形態について図面を参照しつつ説明する。図１は、プリント基板（以下、「基板」と称す）を製造するための製造システムの概略構成を示すブロック図であり、図２は、基板１の一部を示す部分拡大平面図である。図３は、基板１の一部を示す部分拡大断面図である。
【００３６】
まず、基板１の構成について説明する。図２及び図３に示すように、基板１は、導電性を有する複数の電極パターン２を有するものである。当該電極パターン２上には、粘性を有するクリーム半田（以下、「半田」と称す）３が印刷されている。
【００３７】
半田３としては、例えば、Ｓｎ−Ａｇ系のＳｎ−３．０Ａｇ−０．５ＣｕやＳｎ−０．３Ａｇ−０．７Ｃｕ、Ｓｎ−Ｃｕ系のＳｎ−０．７Ｃｕ、Ｓｎ−Ｚｎ系のＳｎ−８Ｚｎ−３Ｂｉ、及び、Ｓｎ−Ｐｂ系のＳｎ６７％−Ｐｂ３７％などが用いられる。
【００３８】
尚、参考として、Ｓｎ−３．０Ａｇ−０．５Ｃｕ又はＳｎ−０．３Ａｇ−０．７Ｃｕからなる半田３の溶融温度（融点）はそれぞれ約２１７℃であり、Ｓｎ−０．７Ｃｕからなる半田３の溶融温度（融点）は約２２７℃である。また、Ｓｎ−８Ｚｎ−３Ｂｉからなる半田３の溶融温度（融点）は約１８７〜１９６℃であり、Ｓｎ６７％−Ｐｂ３７％からなる半田３の溶融温度（融点）は約１８３℃である。
【００３９】
半田３上には、チップ等の電子部品４が搭載されている。より詳しくは、電子部品４は電極やリードにより構成された電極部７を複数備えており、各電極部７がそれぞれ所定の半田３に対して接合されている。すなわち、電子部品４は、複数の半田３からなる１の半田群５に対し搭載されている。
【００４０】
加えて、電子部品４は、半田３によって固定された状態となっているが、本実施形態では、固定状態をより強固なものとすべく、基板１に塗布された接着剤６により接着された状態となっている。接着剤６は、熱硬化性を有する絶縁性の接着剤である。また、接着剤６の硬化温度は、半田３の溶融温度よりも高いものとされている。
【００４１】
次に、基板１を製造するための製造システム１１について説明する。図１に示すように、本実施形態の製造システム１１は、基板１の移送ラインに沿って、その上流側（図の上側）から順に、半田印刷機としての半田印刷装置１２、接着剤塗布装置１３、部品実装システム１４、リフロー装置１５、及び、部品実装状態検査装置１６を備えている。
【００４２】
半田印刷装置１２は、基板１の所定箇所（例えば、電極パターン２上）に所定量の半田３を印刷するためのものである。より詳しくは、半田印刷装置１２は、基板１上の電極パターン２に対応する位置に複数の孔が形成されたメタルスクリーン（図示せず）を備えており、当該メタルスクリーンを用いて基板１に対し半田３をスクリーン印刷する。
【００４３】
接着剤塗布装置１３は、基板１の所定箇所（例えば、電子部品４の配置予定箇所）に所定量の接着剤６を塗布するためのものである。接着剤塗布装置１３は、例えば、Ｘ−Ｙ方向に移動可能なノズルヘッド（図示せず）を備えており、当該ノズルヘッドから接着剤６を吐出することで基板１に対し接着剤６を塗布する。
【００４４】
部品実装システム１４は、印刷された半田３及び塗布された接着剤６を検査するための基板検査装置２１と、電子部品４を実装するための部品実装機２２とを備えている。尚、基板検査装置２１及び部品実装機２２については後に詳述する。
【００４５】
リフロー装置１５は、半田３を加熱溶融させるとともに、接着剤６を加熱硬化させるためのものである。リフロー装置１５によるリフロー工程を経た基板１においては、半田３によって電極パターン２と電子部品４の電極部７とが接合されるとともに、接着剤６によって電子部品４が強固に固定された状態となる。
【００４６】
部品実装状態検査装置１６は、電子部品４が所定の位置に実装されているか否かを検査するとともに、電子部品４への電気的導通が適切に確保されているか否か等を検査するものである。
【００４７】
次いで、部品実装システム１４について説明する。まず、基板検査装置２１について説明する。
【００４８】
基板検査装置２１は、図４に示すように、基板１を載置するための載置台３１と、基板１の表面に対して斜め上方から光を照射するための照射手段としての照明装置３２と、光の照射された基板１を撮像するための撮像手段としてのＣＣＤカメラ３３と、基板検査装置２１における各種制御や画像処理、演算処理等を行うための制御装置４１とを備えている。
【００４９】
載置台３１には、回転軸がそれぞれ直交するモータ３４，３５が設けられている。当該モータ３４，３５が制御装置４１によって駆動制御されることによって、載置台３１に載せられた基板１が任意の方向（Ｘ軸方向及びＹ軸方向）へスライド移動させられるようになっている。これにより、ＣＣＤカメラ３３による基板１の撮像部位を変化させることができるようになっている。
【００５０】
照明装置３２は、所定の光を基板１に対して照射するものであり、少なくとも半田３及び接着剤６に対し光が照射される。
【００５１】
ＣＣＤカメラ３３は、照明装置３２から照射される光の波長領域に感度を有するものであり、少なくとも光の照射された半田３及び接着剤６を撮像する。ＣＣＤカメラ３３によって得られた画像データは、制御装置４１の後述する演算装置４３に対して伝送される。本実施形態においては、画像データとして、基板１からの反射光についての輝度データが伝送される。尚、輝度データに代えて、基板１の色データや高さデータ等が画像データとして伝送されることとしてもよい。
【００５２】
次に、制御装置４１について説明する。制御装置４１は、図５に示すように、各種データを記憶するための記憶装置４２と、各種演算処理を行うための演算装置４３とを備えている。図５では、制御装置４１の構成要素とともに、後述する各手段４４〜４９により得られる領域や情報を合わせて示す。これら領域や情報は、図５において点線で示す。
【００５３】
記憶装置４２は、演算装置４３による演算結果や、基板１についての設計データや製造データ等を記憶するものである。本実施形態において、記憶装置４２には、設計データや製造データとして、基板１上の電極パターン２の位置や大きさ、半田３の印刷予定位置、理想的な印刷状態における半田３のサイズ（例えば、半田３の辺の長さ、面積、輪郭長、対角線の長さ、体積等）、接着剤６の塗布予定位置、理想的な塗布状態における接着剤６のサイズ（例えば、接着剤６の面積、輪郭長、体積等）、電極部７の大きさや配置予定領域などの電子部品４に関する各種情報、及び、基板１の大きさなどが記憶されている。また、記憶装置４２には、電子部品４がどの半田３に対して搭載されるかについての情報や、半田３がどの半田群５に含まれるかについての情報等が記憶されている。
【００５４】
演算装置４３は、理想半田位置情報生成手段４４と、画像処理手段４５と、理想半田検査基準情報生成手段４６と、理想接着剤検査基準情報生成手段４７と、実装位置調整情報生成手段４８と、電極部配置領域生成手段４９とを備えている。
【００５５】
理想半田位置情報生成手段４４は、記憶装置４２に記憶された設計データ上或いは製造データ上における、半田群５の理想的な位置を示す理想半田位置情報Ｐｒｈを生成する。本実施形態において、理想半田位置情報生成手段４４は、まず、記憶装置４２に記憶されたデータに基づき、半田群５に含まれる半田３ごとに、半田３の理想半田領域Ａｒｈをそれぞれ得る。本実施形態における理想半田領域Ａｒｈは、データ上の、基板１上における半田３の占める平面領域である。
【００５６】
次いで、理想半田位置情報生成手段４４は、理想半田領域Ａｒｈのそれぞれの重心座標を得る。その上で、理想半田位置情報生成手段４４は、半田群５が２つの半田３を含んでなる場合、理想半田位置情報Ｐｒｈとして、両理想半田領域Ａｒｈの重心座標の中心（中点）座標〔＝（Ｌｘ，Ｌｙ）〕を生成する。一方、理想半田位置情報生成手段４４は、半田群５が３つ以上の半田３を含んでなる場合、理想半田位置情報Ｐｒｈとして、各理想半田領域Ａｒｈのそれぞれの重心座標の中心（重心）座標〔＝（Ｌｘ，Ｌｙ）〕を生成する。
【００５７】
尚、データ上の、基板１上における半田３の占める立体領域等を理想半田領域Ａｒｈとしてもよい。また、理想半田位置情報Ｐｒｈとして、各理想半田領域Ａｒｈの中心、理想半田領域Ａｒｈに外接する矩形の重心や中心等を生成することとしてもよい。尚、本実施形態では、理想半田領域Ａｒｈと、基板１上で電極パターン２の占める領域とが一致するように設定されている。
【００５８】
画像処理手段４５は、ＣＣＤカメラ３３によって得られた画像データに基づき、実半田領域Ａｊｈ及び実接着剤領域Ａｊｓを抽出するとともに、抽出した実半田領域Ａｊｈに基づき、実半田位置情報Ｐｊｈを生成する。
【００５９】
実半田領域Ａｊｈは、基本的には画像データにおける半田３の占める領域をいう。但し、印刷状態に著しい不具合のある半田３は、実半田領域Ａｊｈとして抽出されない。また、実接着剤領域Ａｊｓは、画像データにおける接着剤６の占める範囲をいう。さらに、実半田位置情報Ｐｊｈとは、画像データにおける実際に印刷された半田群５の位置情報をいう。
【００６０】
実半田領域Ａｊｈの抽出について説明すると、画像処理手段４５は、まず、前記画像データに対し予め設定された所定の輝度値を閾値として二値化処理を行うことで、基板１上における半田３の占める平面領域を抽出する。その上で、画像処理手段４５は、抽出した半田３の平面領域についての情報を記憶装置４２に記憶する。
【００６１】
次いで、画像処理手段４５は、所定の半田用サーチエリアを設定する。半田用サーチエリアは、理想半田領域Ａｒｈと相似する形状であり、半田用サーチエリアの中心座標は、理想半田領域Ａｒｈの中心座標と同一の座標となっている。但し、半田用サーチエリアは、理想半田領域Ａｒｈよりも一回り大きめに設定されている。
【００６２】
その上で、画像処理手段４５は、記憶装置４２に記憶された半田３の平面領域についての情報を利用し、半田用サーチエリア内に存在する半田３の平面領域の面積が当該半田用サーチエリアの面積に対し所定割合以上となっているか否かを判定する。そして、この判定条件を満たす場合、半田用サーチエリア内に存在する半田３を半田塊として抽出する。但し、半田用サーチエリア内に存在する半田３の平面領域の中で所定面積（例えば、サーチエリアの面積の１％等）未満の平面領域については、半田塊の一部としては抽出されない。
【００６３】
次いで、画像処理手段４５は、記憶装置４２に記憶された前記半田３の平面領域の情報に基づいて、抽出された半田塊と連結する（抽出された半田塊を含む）半田領域を、実半田領域Ａｊｈとして抽出する。これにより、半田群５に含まれる各半田３のうち印刷状態に著しい不具合のあるものを除いた半田３についての実半田領域Ａｊｈがそれぞれ抽出される。
【００６４】
一方、画像処理手段４５は、半田用サーチエリア内に存在する半田３の平面領域の面積が半田用サーチエリアの面積に対し所定割合未満である場合、この半田を半田塊として抽出することなく、部品実装機２２に対し「印刷不良信号」を出力する。この処理は、半田３が理想的な印刷位置から大きくずれた位置に印刷されていること等により、セルフアライメント効果が発揮されたとしても位置修正が困難であると考えられるために行われる。「印刷不良信号」が入力された際の部品実装機２２の動作については後に説明する。
【００６５】
また、画像処理手段４５は、半田用サーチエリア内に所定面積（例えば、半田用サーチエリアの面積の２０％等）以上の半田３の平面領域が複数存在する場合、この半田を半田塊として抽出することなく、部品実装機２２に対し「印刷不良信号」を出力する。このような処理は、「にじみ」等により隣接する半田３が過度に接近していたり、半田３に「かすれ」が発生していたりするものと考えられるために行われる。
【００６６】
次いで、実半田位置情報Ｐｊｈの生成について説明する。画像処理手段４５は、まず、半田群５ごとに、実半田領域Ａｊｈのそれぞれの重心座標を求める。その上で、画像処理手段４５は、半田群５が２つの半田３を含んでなる場合、実半田位置情報Ｐｊｈとして、半田群５に対応する両実半田領域Ａｊｈの重心座標の中心（中点）座標〔＝（ｘ，ｙ）〕を生成する。一方、画像処理手段４５は、半田群５が３つ以上の半田３を含んでなる場合、実半田位置情報Ｐｊｈとして、半田群５に対応する複数の実半田領域Ａｊｈのそれぞれの重心座標の中心（重心）座標〔＝（ｘ，ｙ）〕を生成する。本実施形態では、画像処理手段４５が、実半田位置情報生成手段に相当する。
【００６７】
尚、実半田位置情報Ｐｊｈとして、例えば、実半田領域Ａｊｈの中心（重心）座標、実半田領域Ａｊｈに外接する矩形の重心や中心等を生成することとしてもよい。但し、実半田位置情報Ｐｊｈは、理想半田位置情報Ｐｒｈと同一種別（同一種類のカテゴリー及びパラメータ）とする必要がある。そこで本実施形態では、上記の通り、理想半田位置情報Ｐｒｈとして理想半田領域Ａｒｈの重心座標の中心座標が生成され、実半田位置情報Ｐｊｈとして実半田領域Ａｊｈの重心座標の中心座標が生成されている。
【００６８】
次いで、実接着剤領域Ａｊｓの抽出について説明する。画像処理手段４５は、まず、前記画像データに対し予め設定された所定の輝度値を閾値として二値化処理を行うことで、基板１上における接着剤６の占める平面領域を抽出する。その上で、画像処理手段４５は、抽出した平面領域を実接着剤領域Ａｊｓとして抽出する。
【００６９】
理想半田検査基準情報生成手段４６は、理想半田領域Ａｒｈに対応する検査範囲である理想半田検査基準情報Ｋｒｈを生成する。本実施形態において、理想半田検査基準情報生成手段４６は、理想半田位置情報生成手段４４により得られた理想半田領域Ａｒｈに基づき、理想半田検査基準情報Ｋｒｈを生成する。
【００７０】
具体的には、理想半田検査基準情報生成手段４６は、理想半田検査基準情報Ｋｒｈとして、理想半田領域Ａｒｈの形状と相似する形状であり、かつ、その中心座標が、理想半田領域Ａｒｈの中心座標と同一の座標となる理想半田検査窓を生成する。この理想半田検査窓は、半田群５に含まれる半田３の検査基準範囲を示すものである。理想半田検査窓は、理想半田領域Ａｒｈよりも一回り大きなサイズに設定される。尚、理想半田領域Ａｒｈの変更に合わせて、理想半田検査基準情報Ｋｒｈを適宜変更してもよい。
【００７１】
理想接着剤検査基準情報生成手段４７は、記憶装置４２に記憶された設計データ又は製造データに基づき、接着剤６の基準検査範囲を示す理想接着剤検査基準情報Ｋｒｓを生成する。
【００７２】
詳述すると、理想接着剤検査基準情報生成手段４７は、まず、データ上における接着剤６の占める平面領域を理想接着剤領域Ａｒｓとして得る。その上で、理想接着剤検査基準情報生成手段４７は、理想接着剤検査基準情報Ｋｒｓとして、理想接着剤領域Ａｒｓの形状と相似する形状であり、かつ、その中心座標が、理想接着剤領域Ａｒｓの中心座標と同一の座標となる理想接着剤検査窓を生成する。この理想接着剤検査窓は、接着剤６の検査基準範囲を示すものである。理想接着剤検査窓は、理想接着剤領域Ａｒｓよりも一回り大きなサイズに設定される。
【００７３】
尚、理想接着剤領域Ａｒｓとして、データ上における、基板１上の接着剤６の占める立体領域等を生成してもよい。また、理想接着剤領域Ａｒｓの変更に合わせて理想接着剤検査基準情報Ｋｒｓを適宜変更してもよい。
【００７４】
実装位置調整情報生成手段４８は、半田群５ごとに、換言すれば、電子部品４ごとに、実装位置調整情報Ｃｊｉを生成する。実装位置調整情報Ｃｊｉは、理想搭載位置情報に対する搭載予定位置情報の位置ずれ量及び位置ずれ方向を示すものである。理想搭載位置情報とは、半田群５に搭載される電子部品４の設計データ又は製造データ上の搭載位置を示すものであり、本実施形態では、理想半田位置情報Ｐｒｈと同一のものである。また、搭載予定位置情報は、半田群５に搭載される電子部品４の搭載予定位置を示すものであり、本実施形態では、実半田位置情報Ｐｊｈと同一のものである。
【００７５】
本実施形態では、実装位置調整情報Ｃｊｉとして、理想半田位置情報Ｐｒｈに対する実半田位置情報Ｐｊｈの位置ずれ量及び位置ずれ方向に基づくものが生成される。具体的には、実装位置調整情報Ｃｊｉとして、実半田位置情報Ｐｊｈ〔＝（ｘ，ｙ）〕及び理想半田位置情報Ｐｒｈ〔＝（Ｌｘ，Ｌｙ）〕に基づくベクトル情報が生成される。ここで、実装位置調整情報ＣｊｉのＸ成分は「ｘ−Ｌｘ」であり、実装位置調整情報ＣｊｉのＹ成分は「ｙ−Ｌｙ」である。
【００７６】
電極部配置領域生成手段４９は、実装位置調整情報Ｃｊｉを利用して、電子部品４の電極部７の配置予定領域を示す電極部配置領域Ａｄｈを生成する。本実施形態において、電極部配置領域生成手段４９は、電極部配置領域Ａｄｈとして、データ上における電極部７の配置予定領域を、実装位置調整情報Ｃｊｉの分だけずらした領域を生成する。
【００７７】
さらに、演算装置４３は、上記各手段４４〜４９によって生成された情報などに基づいて、基板１上の半田群５及び接着剤６、並びに、半田付けに関する良否を検査する。そこで次に、演算装置４３による検査処理について説明する。
【００７８】
演算装置４３は、実装位置調整情報生成手段４８により得られた複数の実装位置調整情報Ｃｊｉがそれぞれ適正であるか否かをチェックする。具体的には、演算装置４３は、実装位置調整情報Ｃｊｉの大きさ、実装位置調整情報ＣｊｉのＸ方向成分の大きさ、又は、実装位置調整情報ＣｊｉのＹ方向成分の大きさが、予め設定された所定の閾値を超える場合、半田３が大きくずれて印刷されており、印刷状態が不良であると判定する。この場合、演算装置４３は、部品実装機２２に対し「印刷不良信号」を出力する。
【００７９】
一方、実装位置調整情報Ｃｊｉがそれぞれ適正である場合、演算装置４３は、理想半田検査基準情報Ｋｒｈ（理想半田検査窓）を実装位置調整情報Ｃｊｉの分だけずらすことで、実検査基準情報Ｋｊｈを生成する。実検査基準情報Ｋｊｈは、半田群５ごとに生成される。本実施形態において、演算装置４３は、実検査基準情報Ｋｊｈとして、理想半田検査窓を実装位置調整情報Ｃｊｉの分だけずらした検査窓（実半田検査窓）を生成する。実半田検査窓は、その中心座標が、理想半田検査窓の中心座標を実装位置調整情報Ｃｊｉの分だけずらした座標と等しく、その形状が理想半田検査窓と同一の形状となっている。
【００８０】
その上で、演算装置４３は、実検査基準情報Ｋｊｈを利用して各半田群５の検査を行う。すなわち、演算装置４３は、半田群５ごとに、実検査基準情報Ｋｊｈ（実半田検査窓）に対する実半田領域Ａｊｈ以外の領域の占める範囲の割合が予め設定された所定の閾値を超えるか否かについて判定を行う。ここで、各半田群５の全てにおいてこの判定条件を満たさない場合には、半田３の印刷状態を「良」であると判定する。
【００８１】
一方、演算装置４３は、少なくとも１つの半田３において上記の判定条件を満たす場合、半田３の印刷状態が「不良」であると判定するとともに、「印刷不良信号」を部品実装機２２に出力する。
【００８２】
さらに、演算装置４３は、理想接着剤検査基準情報Ｋｒｓ（理想接着剤検査窓）を用いて接着剤６を検査する。具体的には、演算装置４３は、接着剤６ごとに、理想接着剤検査基準情報Ｋｒｓ（理想接着剤検査窓）に対する実接着剤領域Ａｊｓ以外の領域の占める範囲割合が予め設定された所定の閾値を超えるか否かについて判定を行う。そして、全ての接着剤６においてこの判定条件を満たさない場合、接着剤６の塗布状態を「良」と判定する。
【００８３】
一方、演算装置４３は、少なくとも１つの接着剤６において上記の判定条件を満たす場合、接着剤６の塗布状態が不良であると判定するとともに、「塗布不良信号」を部品実装機２２に出力する。「塗布不良信号」が入力された場合の部品実装機２２の動作については後に説明する。
【００８４】
加えて、演算装置４３は、接着剤６ごとに、半田３と重なる領域の面積を求める。本実施形態において、演算装置４３は、基板１を平面視したときにおける、実半田領域Ａｊｓと実接着剤領域Ａｊｓとが重なる領域の面積を求める。その上で、演算装置４３は、この面積が予め設定された所定の面積閾値を超える場合に、半田付けが「不良」であると判定する。そして、演算装置４３は、「半田付け不良信号」を部品実装機２２に出力する。「半田付け不良信号」が入力された場合の部品実装機２２の動作については後に説明する。
【００８５】
さらに、演算装置４３は、接着剤６ごとに、電極部７と重なることが想定される領域の面積を求める。本実施形態において、演算装置４３は、電極部配置領域Ａｄｈと実接着剤領域Ａｊｓとが重なる領域の面積を求める。その上で、演算装置４３は、この面積が予め設定された所定の面積閾値を超える場合に、半田付けが「不良」であると判定し、「半田付け不良信号」を部品実装機２２に出力する。
【００８６】
一方、演算装置４３は、全ての接着剤６において、上記の半田付けに係る判定結果が不良でない場合、半田付けを「良」と判定する。尚、半田付けの良否判定は、重なり領域の面積自体を用いて行ってもよいし、重なり領域の面積を半田３や接着剤６、電極部７の面積（実半田領域Ａｊｈや実接着剤領域Ａｊｓ、電極部配置領域Ａｄｈの面積）で除算した値など、重なり領域の面積に基づく値を用いて行ってもよい。
【００８７】
演算装置４３は、半田３の印刷状態、接着剤６の塗布状態、及び、半田付けの状態をそれぞれ「良」と判定した場合に、基板１を「良品」と判定する。その上で、演算装置４３は、半田群５ごとに設定された複数の実装位置調整情報Ｃｊｉを部品実装機２２に対し出力する。
【００８８】
次いで、部品実装機２２の動作について説明する。部品実装機２２は、基板検査装置２１による検査処理の終了後において実装位置調整情報Ｃｊｉが入力された場合、すなわち、基板１が良品と判定された場合、基板１に対し電子部品４を実装する。具体的には、部品実装機２２は、予め入力された設計データ又は製造データ上の電子部品４の搭載位置（理想搭載位置情報）を実装位置調整情報Ｃｊｉの分だけずらした位置に電子部品４の中心が位置するように、各半田群５に対して電子部品４を実装する。すなわち、各半田群５の実際の印刷位置に各電子部品４を実装する。
【００８９】
一方、部品実装機２２は、演算装置４３から「印刷不良信号」、「塗布不良信号」又は「半田付け不良信号」が入力された場合、基板１に対する電子部品４の実装を行うことなく、当該基板１を図示しない不良品ホッパーへと搬送する。
【００９０】
次に、基板検査装置２１による検査処理について図６〜８のフローチャートなどを参照してより詳細に説明する。尚、図９〜図２０においては、半田用サーチエリアや実検査基準情報Ｋｊｈ（実半田検査窓）などの検査の基準となるものを太線で示す。
【００９１】
また、説明の便宜上、電極パターン２ａ，２ｂに印刷される半田３ａ，３ｂからなる半田群５ａ、及び、当該半田群５ａに対応する接着剤６ａ（それぞれ図９参照）に対する検査処理について説明する。但し、他の半田群５や接着剤６に対しても同様の検査処理が行われる。半田３ａ，３ｂは、同サイズであり、それぞれ電極パターン２ａ，２ｂに対してＸ軸方向に「２ｍｍ」、Ｙ軸方向に「１ｍｍ」ずれて印刷されているものとする。さらに、半田３ａ，３ｂは、それぞれ理想的なサイズ（大きさ）で印刷されているものとする。また、接着剤６ａは、理想的な位置に対し理想的なサイズで塗布されているものとする。勿論、上記で挙げた数値は単なる例である。
【００９２】
検査処理では、図６に示すように、まず、ステップＳ１１において、第一抽出生成処理を実行する。
【００９３】
第一抽出生成処理では、図７に示すように、まず、ステップＳ３１において、設計データ等に基づき理想半田位置情報Ｐｒｈが生成される。本実施形態では、設計データや製造データ上の半田３ａに係る理想半田領域Ａｒｈ１の中心座標と、設計データや製造データ上の半田３ｂに係る理想半田領域Ａｒｈ２の中心座標との中点（Ｌｘ，Ｌｙ）が、理想半田位置情報Ｐｒｈとして生成される（図１０参照）。
【００９４】
次いで、ステップＳ３２及びステップＳ３３において、ＣＣＤカメラ３３により得られた画像データに基づき、基板１上における半田３及び接着剤６の占める平面領域をそれぞれ抽出する。そして、抽出した平面領域に関する情報を記憶装置４２に記憶する。
【００９５】
その上で、ステップＳ３４において、理想半田領域Ａｒｈ１，Ａｒｈ２と同一の中心座標を有するとともに、理想半田領域Ａｒｈ１，Ａｒｈ２より若干大きめの半田用サーチエリアＳＡ１，ＳＡ２を設定する（図１１参照）。
【００９６】
図６に戻り、第一抽出生成処理に続くステップＳ１２では、半田３の印刷状態に著しい不具合があるか否かを判定する。具体的には、半田用サーチエリアＳＡ１，ＳＡ２内に存在する半田３の平面領域が当該半田用サーチエリアＳＡ１，ＳＡ２の面積に対し所定割合以上を占めるか否かを判定する。また、半田用サーチエリア内に所定面積（例えば、半田用サーチエリアＳＡ１，ＳＡ２の面積の２０％等）以上の半田３の平面領域が複数存在するか否かを判定する。
【００９７】
そして、半田３ａ，３ｂの平面領域が半田用サーチエリアＳＡ１，ＳＡ２の面積に対し所定割合以上を占めるとともに、半田用サーチエリアＳＡ１，ＳＡ２内に所定面積以上の半田３ａ，３ｂの平面領域が複数存在していない場合、つまり、ステップＳ１２にて否定判定された場合、ステップＳ１３の第二抽出生成処理に移行する。
【００９８】
一方、半田用サーチエリアＳＡ１，ＳＡ２の面積に対して半田３ａ，３ｂの平面領域の占める割合が所定割合未満である場合、又は、半田用サーチエリアＳＡ１，ＳＡ２内に所定面積以上の半田３の平面領域が複数存在している場合、すなわち、ステップＳ１２にて肯定判定された場合には、ステップＳ２１に移行する。そして、ステップＳ２１にて、部品実装機２２に対し「印刷不良信号」を出力し、検査処理を終了する。
【００９９】
次いで、ステップＳ１３の第二抽出生成処理について説明する。第二抽出生成処理では、図８に示すように、まず、ステップＳ５１にて、サーチエリアＳＡ１，ＳＡ２内に存在する半田３ａ，３ｂを半田塊Ｋ１，Ｋ２（図１２中、斜線を付した部位）として抽出する（図１２参照）。
【０１００】
ステップＳ５１に続くステップＳ５２では、実半田領域Ａｊｈを抽出する。具体的には、抽出された半田塊Ｋ１，Ｋ２と連結する半田領域を実半田領域Ａｊｈ１，Ａｊｈ２（図１３中、散点模様を付した部位）として抽出する（図１３参照）。
【０１０１】
次いで、ステップＳ５３において、実半田位置情報Ｐｊｈを生成する。本実施形態では、実半田領域Ａｊｈ１の重心座標と実半田領域Ａｊｈ２の重心座標との中点（ｘ，ｙ）が、実半田位置情報Ｐｊｈとして生成される（図１３参照）。
【０１０２】
さらに、ステップＳ５４において、実接着剤領域Ａｊｓを抽出する。本実施形態では、ステップＳ３３にて抽出された接着剤６の占める平面領域が、実接着剤領域Ａｊｓ（図１４中、斜めの点線を付した部位）として抽出される（図１４参照）。
【０１０３】
続くステップＳ５５では、理想半田検査基準情報Ｋｒｈ（理想半田検査窓）を生成する。本実施形態では、理想半田検査基準情報Ｋｒｈ１，Ｋｒｈ２として、理想半田領域Ａｒｈ１，Ａｒｈ２の形状と相似する形状であるとともに、理想半田領域Ａｒｈ１，Ａｒｈ２よりも一回り大きく、かつ、中心座標が理想半田領域Ａｒｈ１，Ａｒｈ２の重心座標と同一の座標となる理想半田検査窓を生成する（図１５参照）。
【０１０４】
さらに、ステップＳ５６において、理想接着剤検査基準情報Ｋｒｓを生成する。すなわち、データ上における接着剤６ａの占める平面領域を理想接着剤領域Ａｒｓとして得た上で、理想接着剤領域Ａｒｓの形状と相似する形状であるとともに、理想接着剤領域Ａｒｓよりも一回り大きく、かつ、中心座標が理想接着剤領域Ａｒｓの重心座標と同一となる理想接着剤検査窓を理想接着剤検査基準情報Ｋｒｓとして生成する（図１６参照）。
【０１０５】
次に、ステップＳ５７において、実装位置調整情報Ｃｊｉを生成する。詳述すると、実装位置調整情報Ｃｊｉとして、ステップＳ５３にて生成された実半田位置情報Ｐｊｈ〔＝（ｘ，ｙ）〕と、ステップＳ３１にて生成された理想半田位置情報Ｐｒｈ〔＝（Ｌｘ，Ｌｙ）〕に基づくベクトル情報〔＝（Ｐｘ，Ｐｙ）〕が生成される（図１７参照）。
【０１０６】
図６に戻り、第二抽出生成処理に続くステップＳ１４において、生成された実装位置調整情報Ｃｊｉが適正であるか否かを判定する。例えば、実装位置調整情報Ｃｊｉの大きさなどをチェックする。実装位置調整情報Ｃｊｉが適正でない場合（ステップＳ１４：ＮＯ）、ステップＳ２１にて「印刷不良信号」を出力し、検査処理を終了する。
【０１０７】
一方、実装位置調整情報が適正である場合（ステップＳ１４：ＹＥＳ）、ステップＳ１５に移行し、設計データ等に基づき、電極部配置領域Ａｄｈ１，Ａｄｈ２を抽出する（図１８参照）。
【０１０８】
続くステップＳ１６では、実検査基準情報Ｋｊｈを生成する。本実施形態では、実検査基準情報Ｋｊｈ１，Ｋｊｈ２として、理想半田検査基準情報（理想半田検査窓）Ｋｒｈ１，Ｋｒｈ２を実装位置調整情報Ｃｊｉの分だけずらすことで得た実半田検査窓を生成する（図１９参照）。
【０１０９】
次いで、ステップＳ１７において、実検査基準情報Ｋｊｈ１，Ｋｊｈ２（実半田検査窓）を用いて、実半田領域Ａｊｈ１，Ａｊｈ２が適正であるか否かを判定する。すなわち、実検査基準情報Ｋｊｈ１，Ｋｊｈ２（実半田検査窓）に対して実半田領域Ａｊｈ１，Ａｊｈ２以外の領域の占める範囲割合が、予め設定された閾値を超えるか否かを判定する（図２０参照）。実検査基準情報Ｋｊｈ１に対する実半田領域Ａｊｈ１以外の領域の占める範囲割合が前記閾値以下であり、かつ、実検査基準情報Ｋｊｈ２に対する実半田領域Ａｊｈ２以外の領域の占める範囲割合が前記閾値以下である場合（ステップＳ１７：ＹＥＳ）、当該半田群５ａの印刷状態を「良」と判定し、ステップＳ１８に移行する。
【０１１０】
一方、実検査基準情報Ｋｊｈ１に対する実半田領域Ａｊｈ１以外の領域の占める範囲割合が前記閾値を超える場合、又は、実検査基準情報Ｋｊｈ２に対する実半田領域Ａｊｈ２以外の領域の占める範囲割合が前記閾値を超える場合（ステップＳ１７：ＮＯ）、半田群５の印刷状態を「不良」と判定する。その後、ステップＳ２１において、「印刷不良信号」を部品実装機２２に出力し、検査処理を終了する。
【０１１１】
実半田領域Ａｊｈ１，Ａｊｈ２が適正である場合（ステップＳ１７：ＹＥＳ）、ステップＳ１８にて、理想接着剤検査基準情報Ｋｒｓ（理想接着剤検査窓）を用いて、実接着剤領域Ａｊｓが適正であるか否かを判定する。具体的には、理想接着剤検査基準情報Ｋｒｓに対する実接着剤領域Ａｊｓ以外の領域の占める範囲割合が予め設定された所定の閾値を超えるか否かについて判定を行う（図２０参照）。そして、この判定条件を満たさず、実接着剤領域Ａｊｓが適正である場合（ステップＳ１８：ＹＥＳ）、接着剤６ａの塗布状態を「良」と判定した上で、ステップＳ１９へと移行する。
【０１１２】
一方、上記の判定条件を満たし、接着剤６ａの塗布状態が不適正である場合（ステップＳ１８：ＮＯ）、ステップＳ２２に移行する。そして、ステップＳ２２にて「塗布不良信号」を部品実装機２２に出力し、検査処理を終了する。
【０１１３】
ステップＳ１９では、接着剤６ａ及び半田３ａ，３ｂの位置関係が適正であるか否かを判定する。より詳しくは、実半田領域Ａｊｈ１，Ａｊｈ２と実接着剤領域Ａｊｓとの重なり領域の面積を求めるとともに、この重なり領域の面積が予め設定された所定の面積閾値を超えるか否かを判定する。ここで、重なり領域の面積が前記面積閾値を超えており、接着剤６ａ及び半田３ａ，３ｂの位置関係が適正でない場合（例えば、図２１に示すような状態である場合）、半田付け不良と判定する。その上で、ステップＳ２３にて「半田付け不良信号」を部品実装機２２に出力し、検査処理を終了する。尚、図２１及び図２２では、実半田領域Ａｊｈ１，Ａｊｈ２や実接着剤領域Ａｊｓの基板１における位置を示すべく、電極パターン２ａ，２ｂの外縁部を点線で示す。
【０１１４】
一方、重なり領域の面積が前記面積閾値以下であり、接着剤６ａ及び半田３ａ，３ｂの位置関係が適正である場合（ステップＳ１９：ＹＥＳ）、ステップＳ２０へと移行する。
【０１１５】
ステップＳ２０では、接着剤６ａ及び電極部配置領域Ａｄｈ１，Ａｄｈ２の位置関係が適正であるか否かを判定する。より詳しくは、実接着剤領域Ａｊｓと電極部配置Ａｄｈ１，Ａｄｈ２の重なり領域の面積を求めるとともに、この重なり領域の面積が予め設定された所定の面積閾値を超えるか否かを判定する。ここで、重なり領域の面積が前記面積閾値を超えており、接着剤６ａ及び電極部配置領域Ａｄｈ１，Ａｄｈ２の位置関係が適正でない場合（例えば、図２２に示すような状態である場合）、半田付け不良と判定する。その上で、ステップＳ２３にて「半田付け不良信号」を部品実装機２２に出力し、検査処理を終了する。
【０１１６】
一方、重なり領域の面積が前記面積閾値以下であり、接着剤６ａ及び電極部配置領域Ａｄｈ１，Ａｄｈ２の位置関係が適正である場合（ステップＳ２０：ＹＥＳ）、半田付けが良であると判定し、検査処理を終了する。
【０１１７】
以降においては、半田群５ａ以外のその他の半田群５及び接着剤６ａ以外のその他の接着剤６などに対し上述の検査処理が行われ、各判定の全てで「良」の判定がされた場合には、基板１は「良品」であると判定される。その上で、半田群５ごとに設定された複数の実装位置調整情報Ｃｊｉが部品実装機２２へと出力される。
【０１１８】
一方、各半田群５や各接着剤６などのいずれかが「不良」と判定された場合には、基板１は「不良」であると判断される。この場合には、実装位置調整情報Ｃｊｉは部品実装機２２へと出力されず、基板１に電子部品４が実装されないことになる。
【０１１９】
尚、部品実装機２２により電子部品４が実装された基板１は、上述の通り、リフロー装置１５へと送られる。そして、リフロー工程においてセルフアライメント効果が発揮されることで、図２３に示すように、電極パターン２上に半田３が配置され、ひいては電極部７が適正位置に配置される。その結果、電子部品４（図２３及び図２４では不図示）も適正位置に配置される。
【０１２０】
一方、仮に「半田付け不良」と判定された基板１へと電子部品４を実装した上で、当該基板１をリフロー工程へと送ると、セルフアライメント効果が発揮されることで、図２４に示すように、電極パターン２上に半田３が配置され、ひいては電極部７及び電子部品４が適正位置に配置される。そのため、一見すると半田３や電子部品４などが適正位置に配置されている状態に見えるが、実際には、半田３や電極部７に対し接着剤６が多量に付着し、導通不良が生じているおそれがある。そのため、上記の通り、「半田付け不良」と判定した場合には、電子部品４の実装を行わないこととしている。
【０１２１】
以上詳述したように、本実施形態によれば、接着剤６の硬化温度が半田３の溶融温度よりも高いものとされている。従って、セルフアライメント効果を発揮させることができる。
【０１２２】
その上で、実装位置調整情報Ｃｊｉとして、理想半田位置情報Ｐｒｈに対する実半田位置情報Ｐｊｈの位置ずれ量及び位置ずれ方向に基づいた情報が部品実装機２２に出力される。従って、セルフアライメント効果を考慮した位置に電子部品４を配置することができ、適正位置に対する電子部品４の搭載をより確実に図ることができる。また、検査処理において生成された情報を電子部品４の実装工程において活用することができるため、実装工程において検査処理と同様の処理を重複して行う必要がなくなり、生産効率の向上を図ることができる。
【０１２３】
一方、本実施形態では、セルフアライメント効果が発揮される条件ではあるが、接着剤６については、理想接着剤検査基準情報Ｋｒｓに基づき検査が行われる。すなわち、セルフアライメント効果が発揮される条件下であっても接着剤６が移動しない点を踏まえ、設計データや製造データ上における接着剤６の位置や領域（最終的に得られる基板１における接着剤６の理想的な位置や領域）に基づき、接着剤６の塗布状態が検査される。従って、接着剤６の塗布状態を適切に検査することができる。その結果、接着剤６が適切に塗布されていない基板１に対する電子部品４の実装などを防止することができ、歩留まりの向上や生産コストの増大抑制を図ることができる。
【０１２４】
また、上記のように接着剤６は理想接着剤検査基準情報Ｋｒｓに基づき検査される一方、半田群５の各半田３は、理想的な印刷状態の半田３に対する検査基準位置（理想半田検査基準情報Ｋｒｈ）を実装位置調整情報Ｃｊｉの分だけずらすことで得られた検査基準位置（実検査基準情報Ｋｊｈ）を基準として検査が行われる。すなわち、セルフアライメント効果が発揮され得る点を考慮し、実際に印刷されている半田３の位置に基づいて電子部品４（半田群５）単位で検査の基準位置を変更し、この変更した基準位置に基づいて各半田３の検査が行われる。従って、セルフアライメント効果を考慮して、半田３の印刷状態を適切に検査することができる。これにより、接着剤６の塗布状態を適切に検査できることと相俟って、歩留まりの向上及び生産コストの増大抑制をより効果的に図ることができる。
【０１２５】
さらに、接着剤６と半田３との重なり面積、及び、接着剤６と電極部７の配置予定領域との重なり面積に基づき、半田付けの良否が判定される。従って、リフロー工程後において、一見すると半田３や電子部品４などが適正位置に配置されている場合であっても、半田付けが実際には不良であるということを適切に把握できる。これにより、検査精度を高めることができる。
【０１２６】
尚、上記実施形態の記載内容に限定されず、例えば次のように実施してもよい。勿論、以下において例示しない他の応用例、変更例も当然可能である。
【０１２７】
（ａ）上記実施形態では、理想半田位置情報Ｐｒｈ及び実半田位置情報Ｐｊｈとして、半田群５ごとにそれぞれ１の座標情報が生成されるようになっている。これに対し、理想半田位置情報Ｐｒｈ及び実半田位置情報Ｐｊｈとして、半田群５に含まれる各半田３ごとに座標情報を生成することとしてもよい。例えば、理想半田位置情報Ｐｒｈとして、データ上における各半田３の重心座標を生成し、実半田位置情報Ｐｊｈとして、実際に印刷された各半田３の重心座標を生成してもよい。尚、理想半田位置情報の種別と、実半田位置情報の種別とは同一とする必要がある。
【０１２８】
また、上記のように理想半田位置情報Ｐｒｈ及び実半田位置情報Ｐｊｈとして複数の座標情報を生成する場合、理想半田検査基準情報Ｋｒｈや実装位置調整情報Ｃｊｉ、実検査基準情報Ｋｊｈに関しても適宜変更される。例えば、理想半田検査基準情報Ｋｒｈとして、理想半田領域Ａｒｈの重心座標と同一の座標が生成される。また、例えば、実装位置調整情報Ｃｊｉとして、半田群５ごとにベクトル情報〔＝（Ｑｘ，Ｑｙ）〕が生成される。このベクトル情報は、例えば、理想半田位置情報Ｐｒｈに対する実半田位置情報ＰｊｈのＸ軸方向に沿った位置ずれ量Δｘの平均値（Ｑｘ）と、Ｙ軸方向に沿った位置ずれ量Δｙの平均値（Ｑｙ）とからなる。さらに、実検査基準情報Ｋｊｈとして、理想半田検査基準情報Ｋｒｈ（座標情報）を、ベクトル情報だけずらした座標が生成される。
【０１２９】
そして、半田３の印刷状態の検査においては、実検査基準情報Ｋｊｈに対する実半田位置情報ＰｊｈのＸ軸方向及びＹ軸方向に沿った位置ずれ量のそれぞれの絶対値が予め設定された所定の閾値内であるか否かを判定することで、半田群５の印刷状態の良否を検査してもよい。具体的には、半田群５に含まれる各半田３において、各位置ずれ量がそれぞれ前記閾値以下である場合には、半田群５の印刷状態を「良」と判定し、半田群５に含まれる少なくとも１つの半田３において、各位置ずれ量の少なくとも１つが前記閾値を超える場合には、半田群５の印刷状態を「不良」と判定してもよい。
【０１３０】
加えて、理想接着剤検査基準情報Ｋｒｓとして、データ上における接着剤６の重心座標を生成し、実接着剤領域Ａｊｓとして、実際に塗布された接着剤６の重心座標を生成することとしてもよい。その上で、理想接着剤検査基準情報Ｋｒｓと実接着剤領域Ａｊｓとの位置ずれ量に基づき、接着剤６の塗布状態に関する良否を判定してもよい。
【０１３１】
（ｂ）上記実施形態では、半田群５及び接着剤６の全てに対し検査処理を行うこととしているが、オペレータ等によって選択された所定の半田群５及び接着剤６のみに対し検査処理を行うこととしてもよい。これにより、検査処理の簡素化を図ることができ、生産効率の向上を図ることができる。また、この場合において、検査対象となった半田群５以外の半田群５に係る実装位置調整情報Ｃｊｉとして、検査対象となった半田群５に係る実装位置調整情報Ｃｊｉの平均を用いることとしてもよい。
【０１３２】
（ｃ）上記実施形態では、実装位置調整情報Ｃｊｉとしてベクトル情報を生成するとともに、このベクトル情報の分だけ理想搭載位置情報をずらした位置に電子部品４を実装している。すなわち、理想搭載位置情報をＸ軸方向やＹ軸方向にずらした位置に電子部品４を実装している。これに対し、実装位置調整情報Ｃｊｉとして、回転角度情報を生成してもよい。例えば、理想半田領域Ａｒｈを示す座標の範囲を理想半田位置情報Ｐｒｈとし、実半田領域Ａｊｈを示す座標の範囲を実半田位置情報Ｐｊｈとした上で、データ上における電子部品４の中心を回転中心とした、理想半田位置情報Ｐｒｈに対する実半田位置情報Ｐｊｈの回転量及び回転方向を実装位置調整情報Ｃｊｉとして生成してもよい。そして、この回転量及び回転方向に基づいて、電子部品４の実装位置を調整してもよい。また、実装位置調整情報Ｃｊｉが、ベクトル情報と回転量及び回転方向に関する情報との双方を含むものであってもよい。
【０１３３】
（ｄ）上記実施形態では、実検査基準情報Ｋｊｈ（実半田検査窓）に対する実半田領域Ａｊｈ以外の領域の占める範囲割合が所定の閾値を超えるか否かで、半田群５の印刷状態に係る良否を判定している。これに対し、実検査基準情報Ｋｊｈ（実半田検査窓）の中心座標に対する実半田領域Ａｊｈの重心座標の位置ずれ量が所定の閾値を超えるか否かによって半田群５の印刷状態に係る良否を判定することとしてもよい。また、実検査基準情報Ｋｊｈ（実半田検査窓）に対する実半田領域Ａｊｈのマッチング率に基づいて、半田群５の印刷状態に係る良否を判定してもよい。
【０１３４】
さらに、これら良否判定手法を接着剤６の検査に対し適用してもよい。すなわち、理想接着剤検査基準Ｋｒｓ（理想接着剤検査窓）の中心座標に対する、実接着剤領域Ａｊｓの重心座標の位置ずれ量が所定の閾値を超えるか否かで、接着剤６の塗布状態に係る良否を判定してもよい。また、理想接着剤検査基準情報Ｋｒｓ（理想接着剤検査窓）に対する実接着剤領域Ａｊｓのマッチング率に基づいて、接着剤６の塗布状態に係る良否を判定してもよい。
【０１３５】
（ｅ）上記実施形態では特に記載していないが、「印刷不良信号」、「塗布不良信号」又は「半田付け不良信号」が出力された時点で、未検査の半田群５や接着剤６に対する検査処理をスキップし、基板検査装置２１による検査処理を終了することとしてもよい。この場合には、不良となる基板１に対し検査処理が継続されてしまうという事態を抑制することができ、検査効率の向上を図ることができる。
【０１３６】
（ｆ）上記実施形態では、理想半田検査基準情報Ｋｒｈ及び実検査基準情報Ｋｊｈが理想半田領域Ａｒｈよりも大きなものとされているが、理想半田検査基準情報Ｋｒｈ及び実検査基準情報Ｋｊｈを理想半田領域Ａｒｈと同じサイズとしてもよい。また、理想接着剤検査基準情報Ｋｒｓを理想接着剤領域Ａｒｓと同じサイズとしてもよい。
【０１３７】
（ｇ）上記実施形態では、理想半田領域Ａｒｈを生成した上で、理想半田領域Ａｒｈから理想半田位置情報Ｐｒｈを生成しているが、理想半田領域Ａｒｈを生成することなく、設計データや製造データから理想半田位置情報Ｐｒｈを直接生成することとしてもよい。
【０１３８】
（ｈ）上記実施形態では、理想半田領域Ａｒｈに基づき理想半田検査基準情報Ｋｒｈを生成しているが、記憶装置４２に対し予め検査基準位置や検査基準範囲についての情報を設計データや製造データとして記憶しておき、当該情報に基づいて、理想半田検査基準情報Ｋｒｈを生成することとしてもよい。
【０１３９】
（ｉ）上記実施形態では特に記載していないが、複数の半田群５の検査において「印刷不良信号」がそれぞれ出力された場合には、基板１に対してメタルスクリーンがずれて配置されていることが懸念される。そのため、このような場合においてメタルスクリーンのずれを修正すべく、各半田群５において生成された実装位置調整情報に基づいて、半田印刷機１１による半田印刷位置を調整（メタルスクリーンを移動）することとしてもよい。
【符号の説明】
【０１４０】
１…基板、３…クリーム半田（半田）、４…電子部品、５…半田群、６…接着剤、７…電極部、１２…半田印刷装置（半田印刷機）、２１…基板検査装置、２２…部品実装機、３２…照明装置（照射手段）、３３…ＣＣＤカメラ（撮像手段）、４５…画像処理手段（実半田位置情報生成手段）、４６…理想半田検査基準情報生成手段、４７…理想接着剤検査基準情報生成手段、Ａｊｈ…実半田領域、Ａｊｓ…実接着剤領域、Ａｒｈ…理想半田領域、Ａｒｓ…理想接着剤領域、Ｃｊｉ…実装位置調整情報、Ｋｊｈ…実検査基準情報、Ｋｒｈ…理想半田検査基準情報、Ｋｒｓ…理想接着剤検査基準情報、Ｐｊｈ…実半田位置情報、Ｐｒｈ…理想半田位置情報。
【図１】
2018128359.tif 000003
【図２】
2018128359.tif 000004
【図３】
2018128359.tif 000005
【図４】
2018128359.tif 000006
【図５】
2018128359.tif 000007
【図６】
2018128359.tif 000008
【図７】
2018128359.tif 000009
【図８】
2018128359.tif 000010
【図９】
2018128359.tif 000011
【図１０】
2018128359.tif 000012
【図１１】
2018128359.tif 000013
【図１２】
2018128359.tif 000014
【図１３】
2018128359.tif 000015
【図１４】
2018128359.tif 000016
【図１５】
2018128359.tif 000017
【図１６】
2018128359.tif 000018
【図１７】
2018128359.tif 000019
【図１８】
2018128359.tif 000020
【図１９】
2018128359.tif 000021
【図２０】
2018128359.tif 000022
【図２１】
2018128359.tif 000023
【図２２】
2018128359.tif 000024
【図２３】
2018128359.tif 000025
【図２４】
2018128359.tif 000026
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
半田印刷機により基板上に印刷された半田に対して電子部品を実装する部品実装機の上流側において、前記基板に塗布された熱硬化性の接着剤及び前記半田を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記半田群に含まれる前記半田の基準検査位置及び／又は基準検査範囲を示す理想半田検査基準情報を生成する理想半田検査基準情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
前記半田群に含まれる各半田については、前記実装位置調整情報の分だけ前記理想半田検査基準情報をずらして得た実検査基準情報を基準として検査する一方、前記接着剤については、前記理想接着剤検査基準情報を基準として検査することを特徴とする基板検査装置。
【請求項２】
半田印刷機により基板上に印刷された半田に対して電子部品を実装する部品実装機の上流側において、前記基板に塗布された熱硬化性の接着剤及び前記半田のうち少なくとも前記接着剤を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
少なくとも前記接着剤については、前記理想接着剤検査基準情報を基準として検査することを特徴とする基板検査装置。
【請求項３】
前記接着剤は、絶縁性の接着剤であり、
所定のリフロー工程を行う前において、前記基板上に印刷された前記半田と前記基板に塗布された前記接着剤とが重なる領域の面積を求め、当該面積に基づき半田付けの良否を判定することを特徴とする請求項１又は２に記載の基板検査装置。
【請求項４】
前記接着剤は、絶縁性の接着剤であり、
所定のリフロー工程を行う前において、前記半田に搭載される前記電子部品の電極部の配置予定領域と前記基板に塗布された前記接着剤とが重なる領域の面積を求め、当該面積に基づき半田付けの良否を判定することを特徴とする請求項１乃至３のいずれか１項に記載の基板検査装置。
【請求項５】
基板上に印刷された半田に対して電子部品を実装する前段階において、前記基板に塗布された熱硬化性の接着剤及び前記半田のうち少なくとも前記接着剤を検査する基板検査方法であって、
少なくとも前記半田及び前記接着剤に対し、光を照射する照射工程と、
少なくとも前記光の照射された前記半田及び前記接着剤を撮像する撮像工程と、
前記撮像工程において撮像された画像データに基づいて、前記電子部品が実装される２以上の半田を含んでなる半田群の位置情報である実半田位置情報を生成する実半田位置情報生成工程と、
設計データ又は製造データに基づき、前記接着剤の基準検査位置及び／又は基準検査範囲を示す理想接着剤検査基準情報を生成する理想接着剤検査基準情報生成工程とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を、前記電子部品を実装する部品実装機に出力するとともに、
少なくとも前記接着剤については、前記理想接着剤検査基準情報を基準として検査することを特徴とする基板検査方法。
【請求項６】
基板上に半田を印刷する半田印刷工程と、
前記基板上に接着剤を塗布する接着剤塗布工程と、
請求項５に記載の基板検査方法を用いて少なくとも前記接着剤を検査する基板検査工程と、
前記検査後において前記基板上に電子部品を実装する部品実装工程と、
前記半田を加熱溶融させるとともに、前記接着剤を加熱硬化させるリフロー工程と、
を備えることを特徴とする基板の製造方法。
【手続補正２】
【補正対象書類名】明細書
【補正対象項目名】全文
【補正方法】変更
【補正の内容】
【発明の詳細な説明】
【技術分野】
【０００１】
本発明は、プリント基板等に代表される基板を検査するための基板検査装置、基板検査方法、及び、基板の製造方法に関する。
【背景技術】
【０００２】
一般に、プリント基板上に電子部品を実装する場合、まずプリント基板上に配設された電極パターン上にクリーム半田が印刷される。次いで、クリーム半田が印刷されたプリント基板に対し、クリーム半田の粘性に基づいて電子部品が仮止めされる。また、電子部品が実装されたプリント基板を所定のリフロー炉に通す際などにおいて、電子部品が脱落してしまうことなどを防止すべく、プリント基板上に熱硬化性の接着剤を塗布することがある。そして、電子部品の実装後、プリント基板がリフロー炉へ導かれ、所定のリフロー工程を経ることで半田付けが行われる。一般に電子部品は、複数の電極部（電極やリード）を備えており、各電極部はそれぞれ異なるクリーム半田に対して接合される。すなわち、複数のクリーム半田からなる半田群に対して１つの電子部品が実装される。
【０００３】
ところで、リフロー工程の前段階においては、接着剤の塗布状態やクリーム半田の印刷状態に関する検査が行われる。このような検査を行うための検査装置としては、クリーム半田の印刷状態の判定を行う検査アルゴリズムを利用して、接着剤の塗布状態の検査を行うものが知られている（例えば、特許文献１等参照）。
【０００４】
また、クリーム半田の印刷状態の検査を行うための検査装置としては、リフロー工程においてセルフアライメント効果が発揮される点を考慮したものが提案されている。セルフアライメント効果は、リフロー工程によって溶融されたクリーム半田が、電極パターン表面に沿って濡れ広がる作用によってもたらされる。この種の検査装置としては、実際に印刷されているクリーム半田の位置に対応して、電子部品（半田群）単位で検査の基準位置を所定量だけオフセットし、このオフセットした基準位置に基づいて各クリーム半田における印刷状態を検査するものが提案されている（例えば、特許文献２等参照）。また、この検査装置においては、電子部品の実装位置に関する情報として、電子部品の実装基準位置から前記所定量だけオフセットした位置の情報が部品実装機へと出力される。
【先行技術文献】
【特許文献】
【０００５】
【特許文献１】特開２００２−３２８１００号公報
【特許文献２】特開２００９−１９２２８２号公報
【発明の概要】
【発明が解決しようとする課題】
【０００６】
ところで、接着剤の硬化温度がクリーム半田の溶融温度よりも低い場合には、クリーム半田の溶融前に接着剤が硬化してしまうため、セルフアライメント効果が十分に発揮されないおそれがある。従って、電子部品の実装位置に関する情報として、電子部品の実装基準位置から前記所定量だけオフセットした位置の情報を部品実装機に出力してしまうと、電子部品が誤った位置に搭載されてしまうおそれがある。
【０００７】
一方、接着剤の硬化温度がクリーム半田の溶融温度よりも高い場合には、セルフアライメント効果が発揮され得る。このようなセルフアライメント効果が発揮される条件下では、接着剤の塗布状態の検査を行うにあたって、前者（特許文献１）の検査装置における検査手法に対し後者（特許文献２）の検査装置における検査手法を適用した技術を用いることが考えられる。すなわち、クリーム半田の印刷状態の判定を行う検査アルゴリズムにおいて検査の基準位置に関する情報を所定量だけオフセットし、このオフセットした基準位置に関する情報に基づき、接着剤の塗布状態を検査するといった手法を用いることが考えられる。
【０００８】
しかしながら、クリーム半田や電子部品はセルフアライメント効果により移動する一方、接着剤は通常移動しない。従って、不適正位置に塗布された接着剤が、セルフアライメント効果によって、リフロー工程後に適正位置に移動するといったことはない。そのため、上述のようにオフセットされた基準位置に関する情報に基づいて接着剤の塗布状態を検査した場合には、接着剤の塗布状態を適切に検査することができないおそれがある。例えば、検査において良と判定されたとしても、接着剤の実際の塗布状態は不良であるといったことが生じ得る。
【０００９】
本発明は、上記事情に鑑みてなされたものであり、その目的は、適正位置への電子部品の搭載をより確実に図ることができるとともに、少なくとも接着剤の塗布状態を適切に検査することができる基板検査装置、基板検査方法、及び、基板の製造方法を提供することにある。
【課題を解決するための手段】
【００１０】
以下、上記目的を解決するのに適した各手段につき、項分けして説明する。なお、必要に応じて対応する手段に特有の作用効果を付記する。
【００１１】
手段１．半田印刷機により基板上に印刷された半田に対して電子部品を実装する部品実装機の上流側において、前記基板に塗布された熱硬化性の接着剤及び前記半田を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記半田群に含まれる前記半田の基準検査位置及び／又は基準検査範囲を示す理想半田検査基準情報を生成する理想半田検査基準情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
前記半田群に含まれる各半田については、前記実装位置調整情報の分だけ前記理想半田検査基準情報をずらして得た実検査基準情報を基準として検査する一方、前記接着剤については、前記理想接着剤検査基準情報を基準として検査することを特徴とする基板検査装置。
【００１２】
尚、「（「実」又は「理想」）半田位置情報」とは、基板に対する半田群の相対的な位置を表すものであり、例えば、半田群に含まれる各半田が基板に対して占める領域（半田領域）の中心や重心、半田領域に外接する矩形の中心や重心、各半田領域の中点や重心（例えば、各半田領域における前記中心や重心の中点や重心）を挙げることができる。
【００１３】
「理想搭載位置情報」とは、データ上の半田位置などに基づいて生成された、電子部品の理想的な搭載位置を表すものである。この情報としては、例えば、理想半田位置情報自体や、各半田領域の中点、重心等を挙げることができる。
【００１４】
「搭載予定位置情報」とは、実際に印刷されている半田に基づいて生成された、電子部品の実装予定位置を表すものである。この情報としては、例えば、実半田位置情報自体や、各半田領域の中点、重心等を挙げることができる。
【００１５】
「理想半田検査基準情報」とは、データ上における半田の検査位置や検査範囲を表すものである。この情報としては、例えば、理想半田位置情報や、データ上における半田の占める領域（理想半田領域）に基づいて生成された検査窓（理想半田検査窓）、データ上における半田領域の中心や重心等を挙げることができる。
【００１６】
「理想接着剤検査基準情報」とは、データ上における接着剤の検査位置や検査範囲を表すものである。この情報としては、例えば、データ上における接着剤の塗布位置に関する情報（理想接着剤位置情報）や、データ上における接着剤の占める領域（理想接着剤領域）に基づいて生成された検査窓（理想接着剤検査窓）、データ上における接着剤領域の中心や重心等を挙げることができる。
【００１７】
「実装位置調整情報」とは、データ上の半田群に対する、実際に印刷された半田群の位置ずれ量や位置ずれ方向の程度を示す情報であり、ベクトル情報や回転角度情報などにより表される。
【００１８】
「実検査基準情報」とは、実際に印刷された半田の検査基準位置や検査基準範囲を表す情報である。この情報としては、例えば、理想半田検査基準情報（座標情報や検査窓）を所定のベクトル成分だけ移動したものや、理想半田検査基準情報（座標情報や検査窓）を所定の回転角度だけ回転させたものなどを挙げることができる。
【００１９】
上記手段１によれば、接着剤の硬化温度が半田の溶融温度よりも高いものとされている。従って、セルフアライメント効果を発揮させることができる。
【００２０】
その上で、実装位置調整情報として、理想半田位置情報に対する実半田位置情報の位置ずれ量及び位置ずれ方向に基づいた情報が部品実装機に出力される。従って、セルフアライメント効果を考慮した位置に電子部品を配置することができ、適正位置に対する電子部品の搭載をより確実に図ることができる。また、検査処理において生成された情報を実装工程において活用することができるため、実装工程において検査処理と同様の処理を重複して行う必要がなくなり、生産効率の向上を図ることができる。
【００２１】
一方、上記手段１によれば、セルフアライメント効果が発揮される条件ではあるが、接着剤については、理想接着剤検査基準情報に基づき検査が行われる。すなわち、セルフアライメント効果が発揮される条件下であっても接着剤が移動しない点を踏まえ、設計データや製造データ上における接着剤の位置や領域（最終的に得られる基板における接着剤の理想的な位置や領域）に基づき、接着剤の塗布状態が検査される。従って、接着剤の塗布状態を適切に検査することができる。その結果、接着剤が適切に塗布されていない基板に対する電子部品の実装などを防止することができ、歩留まりの向上や生産コストの増大抑制を図ることができる。
【００２２】
また、上記のように接着剤は理想接着剤検査基準情報に基づき検査される一方、電子部品が搭載される半田群の各半田は、理想的な印刷状態の半田に対する検査基準位置（理想半田検査基準情報）を実装位置調整情報の分だけずらすことで得られた検査基準位置（実検査基準情報）を基準として検査が行われる。すなわち、セルフアライメント効果が発揮され得る点を考慮し、実際に印刷されている半田の位置に基づいて電子部品（半田群）単位で検査の基準位置を変更し、この変更した基準位置に基づいて各半田の検査が行われる。従って、例えば、半田群に含まれる各半田の位置ずれ量が比較的大きいものの、位置ずれ量及び位置ずれ方向が略一定であり、セルフアライメント効果によって半田等が適正位置に配置されることが期待される場合には、「良」と判定することができる。一方、例えば、個々の半田の位置ずれ量が比較的小さなものではあるが、個々の半田の位置ずれ方向にばらつきがあり、電子部品を適正に実装できないおそれがある場合には、結果的に特定の半田が検査基準位置から大きくずれることとなるため、「不良」と判定することができる。このように上記手段１によれば、セルフアライメント効果を考慮して、半田の印刷状態を適切に検査することができる。これにより、接着剤の塗布状態を適切に検査できることと相俟って、歩留まりの向上及び生産コストの増大抑制をより効果的に図ることができる。
【００２３】
手段２．半田印刷機により基板上に印刷された半田に対して電子部品を実装する部品実装機の上流側において、前記基板に塗布された熱硬化性の接着剤及び前記半田のうち少なくとも前記接着剤を検査するための基板検査装置であって、
少なくとも前記半田及び前記接着剤に対し、光を照射可能な照射手段と、
少なくとも前記光の照射された前記半田及び前記接着剤を撮像可能な撮像手段と、
前記撮像手段によって撮像された画像データに基づいて、前記電子部品が実装される２以上の半田を含んでなる半田群の位置情報である実半田位置情報を生成する実半田位置情報生成手段と、
設計データ又は製造データに基づき、前記接着剤の基準検査位置及び／又は基準検査範囲を示す理想接着剤検査基準情報を生成する理想接着剤検査基準情報生成手段とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を前記部品実装機に出力するとともに、
少なくとも前記接着剤については、前記理想接着剤検査基準情報を基準として検査することを特徴とする基板検査装置。
【００２４】
上記手段２によれば、接着剤の硬化温度が半田の溶融温度よりも高いものとされている。従って、セルフアライメント効果を発揮させることができる。
【００２５】
その上で、実装位置調整情報として、理想半田位置情報に対する実半田位置情報の位置ずれ量及び位置ずれ方向に基づいた情報が部品実装機に出力される。従って、セルフアライメント効果を考慮した位置に電子部品を配置することができ、適正位置に対する電子部品の搭載をより確実に図ることができる。また、検査処理において生成された情報を実装工程において活用することができるため、実装工程において検査処理と同様の処理を重複して行う必要がなくなり、生産効率の向上を図ることができる。
【００２６】
一方、上記手段２によれば、セルフアライメント効果が発揮される条件ではあるが、少なくとも接着剤については、理想接着剤検査基準情報に基づき検査が行われる。すなわち、セルフアライメント効果が発揮される条件下であっても接着剤が移動しない点を踏まえ、設計データや製造データ上における接着剤の位置や領域（最終的に得られる基板における接着剤の理想的な位置や領域）に基づき、接着剤の塗布状態が検査される。従って、接着剤の塗布状態を適切に検査することができる。その結果、接着剤が適切に塗布されていない基板に対する電子部品の実装などを防止することができ、歩留まりの向上や生産コストの増大抑制を図ることができる。
【００２７】
手段３．前記接着剤は、絶縁性の接着剤であり、
所定のリフロー工程を行う前において、前記基板上に印刷された前記半田と前記基板に塗布された前記接着剤とが重なる領域の面積を求め、当該面積に基づき半田付けの良否を判定することを特徴とする手段１又は２に記載の基板検査装置。
【００２８】
リフロー工程後において、セルフアライメント効果により、接着剤や半田、電子部品が適正位置に配置される場合であっても、リフロー工程前に、半田に対し絶縁性の接着剤が多量に付着していると、半田を介した導電性が不十分になってしまい、半田付けが不良とってしまうおそれがある。
【００２９】
この点、上記手段３によれば、接着剤と半田との重なり面積（接着剤及び半田を平面視したときにおける両者の重なる領域の面積）に基づき、半田付けの良否が判定される。従って、リフロー工程後において、一見すると半田や電子部品などが適正位置に配置されている場合であっても、半田付けが実際には不良であるということを適切に把握できる。これにより、検査精度の向上を図ることができる。
【００３０】
手段４．前記接着剤は、絶縁性の接着剤であり、
所定のリフロー工程を行う前において、前記半田に搭載される前記電子部品の電極部の配置予定領域と前記基板に塗布された前記接着剤とが重なる領域の面積を求め、当該面積に基づき半田付けの良否を判定することを特徴とする手段１乃至３のいずれかに記載の基板検査装置。
【００３１】
尚、「電極部」とあるのは、半田に配設される導電性の部材であり、例えば、電極やリードなどを挙げることができる。
【００３２】
リフロー工程後において、セルフアライメント効果により、接着剤や半田、電子部品が適正位置に配置される場合であっても、リフロー工程前に、電極部に対し絶縁性の接着剤が多量に付着していると、電極部を介した導電性が不十分になってしまい、半田付けが不良となってしまうおそれがある。
【００３３】
この点、上記手段４によれば、絶縁性の接着剤と電極部の配置予定領域との重なり面積（接着剤及び電極部の配置予定領域を平面視したときにおける両者の重なる領域の面積）に基づき、半田付けの良否が判定される。従って、リフロー工程後において、一見すると半田や電子部品などが適正位置に配置されている場合であっても、半田付けが実際には不良であるということを適切に把握できる。これにより、検査精度の一層の向上を図ることができる。
手段５．基板上に印刷された半田に対して電子部品を実装する前段階において、前記基板に塗布された熱硬化性の接着剤及び前記半田のうち少なくとも前記接着剤を検査する基板検査方法であって、
少なくとも前記半田及び前記接着剤に対し、光を照射する照射工程と、
少なくとも前記光の照射された前記半田及び前記接着剤を撮像する撮像工程と、
前記撮像工程において撮像された画像データに基づいて、前記電子部品が実装される２以上の半田を含んでなる半田群の位置情報である実半田位置情報を生成する実半田位置情報生成工程と、
設計データ又は製造データに基づき、前記接着剤の基準検査位置及び／又は基準検査範囲を示す理想接着剤検査基準情報を生成する理想接着剤検査基準情報生成工程とを備え、
前記接着剤の硬化温度は、前記半田の溶融温度よりも高いものとされており、
前記半田群に搭載される前記電子部品の理想搭載位置を示す理想搭載位置情報に対する、前記電子部品の搭載予定位置を示す搭載予定位置情報の位置ずれ量及び位置ずれ方向を示す実装位置調整情報として、設計データ上又は製造データ上における前記半田群の位置を示す理想半田位置情報に対する前記実半田位置情報の位置ずれ量及び位置ずれ方向に基づいた情報を、前記電子部品を実装する部品実装機に出力するとともに、
少なくとも前記接着剤については、前記理想接着剤検査基準情報を基準として検査することを特徴とする基板検査方法。
手段６．基板上に半田を印刷する半田印刷工程と、
前記基板上に接着剤を塗布する接着剤塗布工程と、
請求項５に記載の基板検査方法を用いて少なくとも前記接着剤を検査する基板検査工程と、
前記検査後において前記基板上に電子部品を実装する部品実装工程と、
前記半田を加熱溶融させるとともに、前記接着剤を加熱硬化させるリフロー工程と、
を備えることを特徴とする基板の製造方法。
【図面の簡単な説明】
【００３４】
【図１】製造システムの概略構成を示すブロック図である。
【図２】プリント基板の概略構成を示す部分拡大平面図である。
【図３】プリント基板の概略構成を示す部分拡大断面図である。
【図４】基板検査装置の概略構成などを示す模式図である。
【図５】制御装置の構成などを示すブロック図である。
【図６】検査処理のフローチャートである。
【図７】第一抽出生成処理のフローチャートである。
【図８】第二抽出生成処理のフローチャートである。
【図９】検査処理の説明において利用する半田の印刷状態を示す平面模式図である。
【図１０】理想半田領域及び理想半田位置情報を示す平面模式図である。
【図１１】半田用サーチエリアを示す平面模式図である。
【図１２】半田塊などを示す平面模式図である。
【図１３】実半田領域や実半田位置情報などを示す平面模式図である。
【図１４】実接着剤領域などを示す平面模式図である。
【図１５】理想半田検査基準情報を示す平面模式図である。
【図１６】理想接着剤検査基準情報を示す平面模式図である。
【図１７】実装位置調整情報などを示す平面模式図である。
【図１８】電極部配置領域を示す平面模式図である。
【図１９】実検査基準情報を示す平面模式図である。
【図２０】実検査基準情報や理想接着剤検査基準情報を用いた、半田や接着剤の検査を説明するための平面模式図である。
【図２１】接着剤及び半田の位置関係が不適正である場合の実接着剤領域などを示す平面模式図である。
【図２２】接着剤及び電極部の配置予定領域の位置関係が不適正である場合の実接着剤領域などを示す平面模式図である。
【図２３】セルフアライメント効果によって、半田等が適正位置に配置されることを示すための平面模式図である。
【図２４】半田付け不良であっても、セルフアライメント効果によって半田等が適正位置に配置され得ることを示すための平面模式図である。
【発明を実施するための形態】
【００３５】
以下、一実施形態について図面を参照しつつ説明する。図１は、プリント基板（以下、「基板」と称す）を製造するための製造システムの概略構成を示すブロック図であり、図２は、基板１の一部を示す部分拡大平面図である。図３は、基板１の一部を示す部分拡大断面図である。
【００３６】
まず、基板１の構成について説明する。図２及び図３に示すように、基板１は、導電性を有する複数の電極パターン２を有するものである。当該電極パターン２上には、粘性を有するクリーム半田（以下、「半田」と称す）３が印刷されている。
【００３７】
半田３としては、例えば、Ｓｎ−Ａｇ系のＳｎ−３．０Ａｇ−０．５ＣｕやＳｎ−０．３Ａｇ−０．７Ｃｕ、Ｓｎ−Ｃｕ系のＳｎ−０．７Ｃｕ、Ｓｎ−Ｚｎ系のＳｎ−８Ｚｎ−３Ｂｉ、及び、Ｓｎ−Ｐｂ系のＳｎ６７％−Ｐｂ３７％などが用いられる。
【００３８】
尚、参考として、Ｓｎ−３．０Ａｇ−０．５Ｃｕ又はＳｎ−０．３Ａｇ−０．７Ｃｕからなる半田３の溶融温度（融点）はそれぞれ約２１７℃であり、Ｓｎ−０．７Ｃｕからなる半田３の溶融温度（融点）は約２２７℃である。また、Ｓｎ−８Ｚｎ−３Ｂｉからなる半田３の溶融温度（融点）は約１８７〜１９６℃であり、Ｓｎ６７％−Ｐｂ３７％からなる半田３の溶融温度（融点）は約１８３℃である。
【００３９】
半田３上には、チップ等の電子部品４が搭載されている。より詳しくは、電子部品４は電極やリードにより構成された電極部７を複数備えており、各電極部７がそれぞれ所定の半田３に対して接合されている。すなわち、電子部品４は、複数の半田３からなる１の半田群５に対し搭載されている。
【００４０】
加えて、電子部品４は、半田３によって固定された状態となっているが、本実施形態では、固定状態をより強固なものとすべく、基板１に塗布された接着剤６により接着された状態となっている。接着剤６は、熱硬化性を有する絶縁性の接着剤である。また、接着剤６の硬化温度は、半田３の溶融温度よりも高いものとされている。
【００４１】
次に、基板１を製造するための製造システム１１について説明する。図１に示すように、本実施形態の製造システム１１は、基板１の移送ラインに沿って、その上流側（図の上側）から順に、半田印刷機としての半田印刷装置１２、接着剤塗布装置１３、部品実装システム１４、リフロー装置１５、及び、部品実装状態検査装置１６を備えている。
【００４２】
半田印刷装置１２は、基板１の所定箇所（例えば、電極パターン２上）に所定量の半田３を印刷するためのものである。より詳しくは、半田印刷装置１２は、基板１上の電極パターン２に対応する位置に複数の孔が形成されたメタルスクリーン（図示せず）を備えており、当該メタルスクリーンを用いて基板１に対し半田３をスクリーン印刷する。
【００４３】
接着剤塗布装置１３は、基板１の所定箇所（例えば、電子部品４の配置予定箇所）に所定量の接着剤６を塗布するためのものである。接着剤塗布装置１３は、例えば、Ｘ−Ｙ方向に移動可能なノズルヘッド（図示せず）を備えており、当該ノズルヘッドから接着剤６を吐出することで基板１に対し接着剤６を塗布する。
【００４４】
部品実装システム１４は、印刷された半田３及び塗布された接着剤６を検査するための基板検査装置２１と、電子部品４を実装するための部品実装機２２とを備えている。尚、基板検査装置２１及び部品実装機２２については後に詳述する。
【００４５】
リフロー装置１５は、半田３を加熱溶融させるとともに、接着剤６を加熱硬化させるためのものである。リフロー装置１５によるリフロー工程を経た基板１においては、半田３によって電極パターン２と電子部品４の電極部７とが接合されるとともに、接着剤６によって電子部品４が強固に固定された状態となる。
【００４６】
部品実装状態検査装置１６は、電子部品４が所定の位置に実装されているか否かを検査するとともに、電子部品４への電気的導通が適切に確保されているか否か等を検査するものである。
【００４７】
次いで、部品実装システム１４について説明する。まず、基板検査装置２１について説明する。
【００４８】
基板検査装置２１は、図４に示すように、基板１を載置するための載置台３１と、基板１の表面に対して斜め上方から光を照射するための照射手段としての照明装置３２と、光の照射された基板１を撮像するための撮像手段としてのＣＣＤカメラ３３と、基板検査装置２１における各種制御や画像処理、演算処理等を行うための制御装置４１とを備えている。
【００４９】
載置台３１には、回転軸がそれぞれ直交するモータ３４，３５が設けられている。当該モータ３４，３５が制御装置４１によって駆動制御されることによって、載置台３１に載せられた基板１が任意の方向（Ｘ軸方向及びＹ軸方向）へスライド移動させられるようになっている。これにより、ＣＣＤカメラ３３による基板１の撮像部位を変化させることができるようになっている。
【００５０】
照明装置３２は、所定の光を基板１に対して照射するものであり、少なくとも半田３及び接着剤６に対し光が照射される。
【００５１】
ＣＣＤカメラ３３は、照明装置３２から照射される光の波長領域に感度を有するものであり、少なくとも光の照射された半田３及び接着剤６を撮像する。ＣＣＤカメラ３３によって得られた画像データは、制御装置４１の後述する演算装置４３に対して伝送される。本実施形態においては、画像データとして、基板１からの反射光についての輝度データが伝送される。尚、輝度データに代えて、基板１の色データや高さデータ等が画像データとして伝送されることとしてもよい。
【００５２】
次に、制御装置４１について説明する。制御装置４１は、図５に示すように、各種データを記憶するための記憶装置４２と、各種演算処理を行うための演算装置４３とを備えている。図５では、制御装置４１の構成要素とともに、後述する各手段４４〜４９により得られる領域や情報を合わせて示す。これら領域や情報は、図５において点線で示す。
【００５３】
記憶装置４２は、演算装置４３による演算結果や、基板１についての設計データや製造データ等を記憶するものである。本実施形態において、記憶装置４２には、設計データや製造データとして、基板１上の電極パターン２の位置や大きさ、半田３の印刷予定位置、理想的な印刷状態における半田３のサイズ（例えば、半田３の辺の長さ、面積、輪郭長、対角線の長さ、体積等）、接着剤６の塗布予定位置、理想的な塗布状態における接着剤６のサイズ（例えば、接着剤６の面積、輪郭長、体積等）、電極部７の大きさや配置予定領域などの電子部品４に関する各種情報、及び、基板１の大きさなどが記憶されている。また、記憶装置４２には、電子部品４がどの半田３に対して搭載されるかについての情報や、半田３がどの半田群５に含まれるかについての情報等が記憶されている。
【００５４】
演算装置４３は、理想半田位置情報生成手段４４と、画像処理手段４５と、理想半田検査基準情報生成手段４６と、理想接着剤検査基準情報生成手段４７と、実装位置調整情報生成手段４８と、電極部配置領域生成手段４９とを備えている。
【００５５】
理想半田位置情報生成手段４４は、記憶装置４２に記憶された設計データ上或いは製造データ上における、半田群５の理想的な位置を示す理想半田位置情報Ｐｒｈを生成する。本実施形態において、理想半田位置情報生成手段４４は、まず、記憶装置４２に記憶されたデータに基づき、半田群５に含まれる半田３ごとに、半田３の理想半田領域Ａｒｈをそれぞれ得る。本実施形態における理想半田領域Ａｒｈは、データ上の、基板１上における半田３の占める平面領域である。
【００５６】
次いで、理想半田位置情報生成手段４４は、理想半田領域Ａｒｈのそれぞれの重心座標を得る。その上で、理想半田位置情報生成手段４４は、半田群５が２つの半田３を含んでなる場合、理想半田位置情報Ｐｒｈとして、両理想半田領域Ａｒｈの重心座標の中心（中点）座標〔＝（Ｌｘ，Ｌｙ）〕を生成する。一方、理想半田位置情報生成手段４４は、半田群５が３つ以上の半田３を含んでなる場合、理想半田位置情報Ｐｒｈとして、各理想半田領域Ａｒｈのそれぞれの重心座標の中心（重心）座標〔＝（Ｌｘ，Ｌｙ）〕を生成する。
【００５７】
尚、データ上の、基板１上における半田３の占める立体領域等を理想半田領域Ａｒｈとしてもよい。また、理想半田位置情報Ｐｒｈとして、各理想半田領域Ａｒｈの中心、理想半田領域Ａｒｈに外接する矩形の重心や中心等を生成することとしてもよい。尚、本実施形態では、理想半田領域Ａｒｈと、基板１上で電極パターン２の占める領域とが一致するように設定されている。
【００５８】
画像処理手段４５は、ＣＣＤカメラ３３によって得られた画像データに基づき、実半田領域Ａｊｈ及び実接着剤領域Ａｊｓを抽出するとともに、抽出した実半田領域Ａｊｈに基づき、実半田位置情報Ｐｊｈを生成する。
【００５９】
実半田領域Ａｊｈは、基本的には画像データにおける半田３の占める領域をいう。但し、印刷状態に著しい不具合のある半田３は、実半田領域Ａｊｈとして抽出されない。また、実接着剤領域Ａｊｓは、画像データにおける接着剤６の占める範囲をいう。さらに、実半田位置情報Ｐｊｈとは、画像データにおける実際に印刷された半田群５の位置情報をいう。
【００６０】
実半田領域Ａｊｈの抽出について説明すると、画像処理手段４５は、まず、前記画像データに対し予め設定された所定の輝度値を閾値として二値化処理を行うことで、基板１上における半田３の占める平面領域を抽出する。その上で、画像処理手段４５は、抽出した半田３の平面領域についての情報を記憶装置４２に記憶する。
【００６１】
次いで、画像処理手段４５は、所定の半田用サーチエリアを設定する。半田用サーチエリアは、理想半田領域Ａｒｈと相似する形状であり、半田用サーチエリアの中心座標は、理想半田領域Ａｒｈの中心座標と同一の座標となっている。但し、半田用サーチエリアは、理想半田領域Ａｒｈよりも一回り大きめに設定されている。
【００６２】
その上で、画像処理手段４５は、記憶装置４２に記憶された半田３の平面領域についての情報を利用し、半田用サーチエリア内に存在する半田３の平面領域の面積が当該半田用サーチエリアの面積に対し所定割合以上となっているか否かを判定する。そして、この判定条件を満たす場合、半田用サーチエリア内に存在する半田３を半田塊として抽出する。但し、半田用サーチエリア内に存在する半田３の平面領域の中で所定面積（例えば、サーチエリアの面積の１％等）未満の平面領域については、半田塊の一部としては抽出されない。
【００６３】
次いで、画像処理手段４５は、記憶装置４２に記憶された前記半田３の平面領域の情報に基づいて、抽出された半田塊と連結する（抽出された半田塊を含む）半田領域を、実半田領域Ａｊｈとして抽出する。これにより、半田群５に含まれる各半田３のうち印刷状態に著しい不具合のあるものを除いた半田３についての実半田領域Ａｊｈがそれぞれ抽出される。
【００６４】
一方、画像処理手段４５は、半田用サーチエリア内に存在する半田３の平面領域の面積が半田用サーチエリアの面積に対し所定割合未満である場合、この半田を半田塊として抽出することなく、部品実装機２２に対し「印刷不良信号」を出力する。この処理は、半田３が理想的な印刷位置から大きくずれた位置に印刷されていること等により、セルフアライメント効果が発揮されたとしても位置修正が困難であると考えられるために行われる。「印刷不良信号」が入力された際の部品実装機２２の動作については後に説明する。
【００６５】
また、画像処理手段４５は、半田用サーチエリア内に所定面積（例えば、半田用サーチエリアの面積の２０％等）以上の半田３の平面領域が複数存在する場合、この半田を半田塊として抽出することなく、部品実装機２２に対し「印刷不良信号」を出力する。このような処理は、「にじみ」等により隣接する半田３が過度に接近していたり、半田３に「かすれ」が発生していたりするものと考えられるために行われる。
【００６６】
次いで、実半田位置情報Ｐｊｈの生成について説明する。画像処理手段４５は、まず、半田群５ごとに、実半田領域Ａｊｈのそれぞれの重心座標を求める。その上で、画像処理手段４５は、半田群５が２つの半田３を含んでなる場合、実半田位置情報Ｐｊｈとして、半田群５に対応する両実半田領域Ａｊｈの重心座標の中心（中点）座標〔＝（ｘ，ｙ）〕を生成する。一方、画像処理手段４５は、半田群５が３つ以上の半田３を含んでなる場合、実半田位置情報Ｐｊｈとして、半田群５に対応する複数の実半田領域Ａｊｈのそれぞれの重心座標の中心（重心）座標〔＝（ｘ，ｙ）〕を生成する。本実施形態では、画像処理手段４５が、実半田位置情報生成手段に相当する。
【００６７】
尚、実半田位置情報Ｐｊｈとして、例えば、実半田領域Ａｊｈの中心（重心）座標、実半田領域Ａｊｈに外接する矩形の重心や中心等を生成することとしてもよい。但し、実半田位置情報Ｐｊｈは、理想半田位置情報Ｐｒｈと同一種別（同一種類のカテゴリー及びパラメータ）とする必要がある。そこで本実施形態では、上記の通り、理想半田位置情報Ｐｒｈとして理想半田領域Ａｒｈの重心座標の中心座標が生成され、実半田位置情報Ｐｊｈとして実半田領域Ａｊｈの重心座標の中心座標が生成されている。
【００６８】
次いで、実接着剤領域Ａｊｓの抽出について説明する。画像処理手段４５は、まず、前記画像データに対し予め設定された所定の輝度値を閾値として二値化処理を行うことで、基板１上における接着剤６の占める平面領域を抽出する。その上で、画像処理手段４５は、抽出した平面領域を実接着剤領域Ａｊｓとして抽出する。
【００６９】
理想半田検査基準情報生成手段４６は、理想半田領域Ａｒｈに対応する検査範囲である理想半田検査基準情報Ｋｒｈを生成する。本実施形態において、理想半田検査基準情報生成手段４６は、理想半田位置情報生成手段４４により得られた理想半田領域Ａｒｈに基づき、理想半田検査基準情報Ｋｒｈを生成する。
【００７０】
具体的には、理想半田検査基準情報生成手段４６は、理想半田検査基準情報Ｋｒｈとして、理想半田領域Ａｒｈの形状と相似する形状であり、かつ、その中心座標が、理想半田領域Ａｒｈの中心座標と同一の座標となる理想半田検査窓を生成する。この理想半田検査窓は、半田群５に含まれる半田３の検査基準範囲を示すものである。理想半田検査窓は、理想半田領域Ａｒｈよりも一回り大きなサイズに設定される。尚、理想半田領域Ａｒｈの変更に合わせて、理想半田検査基準情報Ｋｒｈを適宜変更してもよい。
【００７１】
理想接着剤検査基準情報生成手段４７は、記憶装置４２に記憶された設計データ又は製造データに基づき、接着剤６の基準検査範囲を示す理想接着剤検査基準情報Ｋｒｓを生成する。
【００７２】
詳述すると、理想接着剤検査基準情報生成手段４７は、まず、データ上における接着剤６の占める平面領域を理想接着剤領域Ａｒｓとして得る。その上で、理想接着剤検査基準情報生成手段４７は、理想接着剤検査基準情報Ｋｒｓとして、理想接着剤領域Ａｒｓの形状と相似する形状であり、かつ、その中心座標が、理想接着剤領域Ａｒｓの中心座標と同一の座標となる理想接着剤検査窓を生成する。この理想接着剤検査窓は、接着剤６の検査基準範囲を示すものである。理想接着剤検査窓は、理想接着剤領域Ａｒｓよりも一回り大きなサイズに設定される。
【００７３】
尚、理想接着剤領域Ａｒｓとして、データ上における、基板１上の接着剤６の占める立体領域等を生成してもよい。また、理想接着剤領域Ａｒｓの変更に合わせて理想接着剤検査基準情報Ｋｒｓを適宜変更してもよい。
【００７４】
実装位置調整情報生成手段４８は、半田群５ごとに、換言すれば、電子部品４ごとに、実装位置調整情報Ｃｊｉを生成する。実装位置調整情報Ｃｊｉは、理想搭載位置情報に対する搭載予定位置情報の位置ずれ量及び位置ずれ方向を示すものである。理想搭載位置情報とは、半田群５に搭載される電子部品４の設計データ又は製造データ上の搭載位置を示すものであり、本実施形態では、理想半田位置情報Ｐｒｈと同一のものである。また、搭載予定位置情報は、半田群５に搭載される電子部品４の搭載予定位置を示すものであり、本実施形態では、実半田位置情報Ｐｊｈと同一のものである。
【００７５】
本実施形態では、実装位置調整情報Ｃｊｉとして、理想半田位置情報Ｐｒｈに対する実半田位置情報Ｐｊｈの位置ずれ量及び位置ずれ方向に基づくものが生成される。具体的には、実装位置調整情報Ｃｊｉとして、実半田位置情報Ｐｊｈ〔＝（ｘ，ｙ）〕及び理想半田位置情報Ｐｒｈ〔＝（Ｌｘ，Ｌｙ）〕に基づくベクトル情報が生成される。ここで、実装位置調整情報ＣｊｉのＸ成分は「ｘ−Ｌｘ」であり、実装位置調整情報ＣｊｉのＹ成分は「ｙ−Ｌｙ」である。
【００７６】
電極部配置領域生成手段４９は、実装位置調整情報Ｃｊｉを利用して、電子部品４の電極部７の配置予定領域を示す電極部配置領域Ａｄｈを生成する。本実施形態において、電極部配置領域生成手段４９は、電極部配置領域Ａｄｈとして、データ上における電極部７の配置予定領域を、実装位置調整情報Ｃｊｉの分だけずらした領域を生成する。
【００７７】
さらに、演算装置４３は、上記各手段４４〜４９によって生成された情報などに基づいて、基板１上の半田群５及び接着剤６、並びに、半田付けに関する良否を検査する。そこで次に、演算装置４３による検査処理について説明する。
【００７８】
演算装置４３は、実装位置調整情報生成手段４８により得られた複数の実装位置調整情報Ｃｊｉがそれぞれ適正であるか否かをチェックする。具体的には、演算装置４３は、実装位置調整情報Ｃｊｉの大きさ、実装位置調整情報ＣｊｉのＸ方向成分の大きさ、又は、実装位置調整情報ＣｊｉのＹ方向成分の大きさが、予め設定された所定の閾値を超える場合、半田３が大きくずれて印刷されており、印刷状態が不良であると判定する。この場合、演算装置４３は、部品実装機２２に対し「印刷不良信号」を出力する。
【００７９】
一方、実装位置調整情報Ｃｊｉがそれぞれ適正である場合、演算装置４３は、理想半田検査基準情報Ｋｒｈ（理想半田検査窓）を実装位置調整情報Ｃｊｉの分だけずらすことで、実検査基準情報Ｋｊｈを生成する。実検査基準情報Ｋｊｈは、半田群５ごとに生成される。本実施形態において、演算装置４３は、実検査基準情報Ｋｊｈとして、理想半田検査窓を実装位置調整情報Ｃｊｉの分だけずらした検査窓（実半田検査窓）を生成する。実半田検査窓は、その中心座標が、理想半田検査窓の中心座標を実装位置調整情報Ｃｊｉの分だけずらした座標と等しく、その形状が理想半田検査窓と同一の形状となっている。
【００８０】
その上で、演算装置４３は、実検査基準情報Ｋｊｈを利用して各半田群５の検査を行う。すなわち、演算装置４３は、半田群５ごとに、実検査基準情報Ｋｊｈ（実半田検査窓）に対する実半田領域Ａｊｈ以外の領域の占める範囲の割合が予め設定された所定の閾値を超えるか否かについて判定を行う。ここで、各半田群５の全てにおいてこの判定条件を満たさない場合には、半田３の印刷状態を「良」であると判定する。
【００８１】
一方、演算装置４３は、少なくとも１つの半田３において上記の判定条件を満たす場合、半田３の印刷状態が「不良」であると判定するとともに、「印刷不良信号」を部品実装機２２に出力する。
【００８２】
さらに、演算装置４３は、理想接着剤検査基準情報Ｋｒｓ（理想接着剤検査窓）を用いて接着剤６を検査する。具体的には、演算装置４３は、接着剤６ごとに、理想接着剤検査基準情報Ｋｒｓ（理想接着剤検査窓）に対する実接着剤領域Ａｊｓ以外の領域の占める範囲割合が予め設定された所定の閾値を超えるか否かについて判定を行う。そして、全ての接着剤６においてこの判定条件を満たさない場合、接着剤６の塗布状態を「良」と判定する。
【００８３】
一方、演算装置４３は、少なくとも１つの接着剤６において上記の判定条件を満たす場合、接着剤６の塗布状態が不良であると判定するとともに、「塗布不良信号」を部品実装機２２に出力する。「塗布不良信号」が入力された場合の部品実装機２２の動作については後に説明する。
【００８４】
加えて、演算装置４３は、接着剤６ごとに、半田３と重なる領域の面積を求める。本実施形態において、演算装置４３は、基板１を平面視したときにおける、実半田領域Ａｊｓと実接着剤領域Ａｊｓとが重なる領域の面積を求める。その上で、演算装置４３は、この面積が予め設定された所定の面積閾値を超える場合に、半田付けが「不良」であると判定する。そして、演算装置４３は、「半田付け不良信号」を部品実装機２２に出力する。「半田付け不良信号」が入力された場合の部品実装機２２の動作については後に説明する。
【００８５】
さらに、演算装置４３は、接着剤６ごとに、電極部７と重なることが想定される領域の面積を求める。本実施形態において、演算装置４３は、電極部配置領域Ａｄｈと実接着剤領域Ａｊｓとが重なる領域の面積を求める。その上で、演算装置４３は、この面積が予め設定された所定の面積閾値を超える場合に、半田付けが「不良」であると判定し、「半田付け不良信号」を部品実装機２２に出力する。
【００８６】
一方、演算装置４３は、全ての接着剤６において、上記の半田付けに係る判定結果が不良でない場合、半田付けを「良」と判定する。尚、半田付けの良否判定は、重なり領域の面積自体を用いて行ってもよいし、重なり領域の面積を半田３や接着剤６、電極部７の面積（実半田領域Ａｊｈや実接着剤領域Ａｊｓ、電極部配置領域Ａｄｈの面積）で除算した値など、重なり領域の面積に基づく値を用いて行ってもよい。
【００８７】
演算装置４３は、半田３の印刷状態、接着剤６の塗布状態、及び、半田付けの状態をそれぞれ「良」と判定した場合に、基板１を「良品」と判定する。その上で、演算装置４３は、半田群５ごとに設定された複数の実装位置調整情報Ｃｊｉを部品実装機２２に対し出力する。
【００８８】
次いで、部品実装機２２の動作について説明する。部品実装機２２は、基板検査装置２１による検査処理の終了後において実装位置調整情報Ｃｊｉが入力された場合、すなわち、基板１が良品と判定された場合、基板１に対し電子部品４を実装する。具体的には、部品実装機２２は、予め入力された設計データ又は製造データ上の電子部品４の搭載位置（理想搭載位置情報）を実装位置調整情報Ｃｊｉの分だけずらした位置に電子部品４の中心が位置するように、各半田群５に対して電子部品４を実装する。すなわち、各半田群５の実際の印刷位置に各電子部品４を実装する。
【００８９】
一方、部品実装機２２は、演算装置４３から「印刷不良信号」、「塗布不良信号」又は「半田付け不良信号」が入力された場合、基板１に対する電子部品４の実装を行うことなく、当該基板１を図示しない不良品ホッパーへと搬送する。
【００９０】
次に、基板検査装置２１による検査処理について図６〜８のフローチャートなどを参照してより詳細に説明する。尚、図９〜図２０においては、半田用サーチエリアや実検査基準情報Ｋｊｈ（実半田検査窓）などの検査の基準となるものを太線で示す。
【００９１】
また、説明の便宜上、電極パターン２ａ，２ｂに印刷される半田３ａ，３ｂからなる半田群５ａ、及び、当該半田群５ａに対応する接着剤６ａ（それぞれ図９参照）に対する検査処理について説明する。但し、他の半田群５や接着剤６に対しても同様の検査処理が行われる。半田３ａ，３ｂは、同サイズであり、それぞれ電極パターン２ａ，２ｂに対してＸ軸方向に「２ｍｍ」、Ｙ軸方向に「１ｍｍ」ずれて印刷されているものとする。さらに、半田３ａ，３ｂは、それぞれ理想的なサイズ（大きさ）で印刷されているものとする。また、接着剤６ａは、理想的な位置に対し理想的なサイズで塗布されているものとする。勿論、上記で挙げた数値は単なる例である。
【００９２】
検査処理では、図６に示すように、まず、ステップＳ１１において、第一抽出生成処理を実行する。
【００９３】
第一抽出生成処理では、図７に示すように、まず、ステップＳ３１において、設計データ等に基づき理想半田位置情報Ｐｒｈが生成される。本実施形態では、設計データや製造データ上の半田３ａに係る理想半田領域Ａｒｈ１の中心座標と、設計データや製造データ上の半田３ｂに係る理想半田領域Ａｒｈ２の中心座標との中点（Ｌｘ，Ｌｙ）が、理想半田位置情報Ｐｒｈとして生成される（図１０参照）。
【００９４】
次いで、ステップＳ３２及びステップＳ３３において、ＣＣＤカメラ３３により得られた画像データに基づき、基板１上における半田３及び接着剤６の占める平面領域をそれぞれ抽出する。そして、抽出した平面領域に関する情報を記憶装置４２に記憶する。
【００９５】
その上で、ステップＳ３４において、理想半田領域Ａｒｈ１，Ａｒｈ２と同一の中心座標を有するとともに、理想半田領域Ａｒｈ１，Ａｒｈ２より若干大きめの半田用サーチエリアＳＡ１，ＳＡ２を設定する（図１１参照）。
【００９６】
図６に戻り、第一抽出生成処理に続くステップＳ１２では、半田３の印刷状態に著しい不具合があるか否かを判定する。具体的には、半田用サーチエリアＳＡ１，ＳＡ２内に存在する半田３の平面領域が当該半田用サーチエリアＳＡ１，ＳＡ２の面積に対し所定割合以上を占めるか否かを判定する。また、半田用サーチエリア内に所定面積（例えば、半田用サーチエリアＳＡ１，ＳＡ２の面積の２０％等）以上の半田３の平面領域が複数存在するか否かを判定する。
【００９７】
そして、半田３ａ，３ｂの平面領域が半田用サーチエリアＳＡ１，ＳＡ２の面積に対し所定割合以上を占めるとともに、半田用サーチエリアＳＡ１，ＳＡ２内に所定面積以上の半田３ａ，３ｂの平面領域が複数存在していない場合、つまり、ステップＳ１２にて否定判定された場合、ステップＳ１３の第二抽出生成処理に移行する。
【００９８】
一方、半田用サーチエリアＳＡ１，ＳＡ２の面積に対して半田３ａ，３ｂの平面領域の占める割合が所定割合未満である場合、又は、半田用サーチエリアＳＡ１，ＳＡ２内に所定面積以上の半田３の平面領域が複数存在している場合、すなわち、ステップＳ１２にて肯定判定された場合には、ステップＳ２１に移行する。そして、ステップＳ２１にて、部品実装機２２に対し「印刷不良信号」を出力し、検査処理を終了する。
【００９９】
次いで、ステップＳ１３の第二抽出生成処理について説明する。第二抽出生成処理では、図８に示すように、まず、ステップＳ５１にて、サーチエリアＳＡ１，ＳＡ２内に存在する半田３ａ，３ｂを半田塊Ｋ１，Ｋ２（図１２中、斜線を付した部位）として抽出する（図１２参照）。
【０１００】
ステップＳ５１に続くステップＳ５２では、実半田領域Ａｊｈを抽出する。具体的には、抽出された半田塊Ｋ１，Ｋ２と連結する半田領域を実半田領域Ａｊｈ１，Ａｊｈ２（図１３中、散点模様を付した部位）として抽出する（図１３参照）。
【０１０１】
次いで、ステップＳ５３において、実半田位置情報Ｐｊｈを生成する。本実施形態では、実半田領域Ａｊｈ１の重心座標と実半田領域Ａｊｈ２の重心座標との中点（ｘ，ｙ）が、実半田位置情報Ｐｊｈとして生成される（図１３参照）。
【０１０２】
さらに、ステップＳ５４において、実接着剤領域Ａｊｓを抽出する。本実施形態では、ステップＳ３３にて抽出された接着剤６の占める平面領域が、実接着剤領域Ａｊｓ（図１４中、斜めの点線を付した部位）として抽出される（図１４参照）。
【０１０３】
続くステップＳ５５では、理想半田検査基準情報Ｋｒｈ（理想半田検査窓）を生成する。本実施形態では、理想半田検査基準情報Ｋｒｈ１，Ｋｒｈ２として、理想半田領域Ａｒｈ１，Ａｒｈ２の形状と相似する形状であるとともに、理想半田領域Ａｒｈ１，Ａｒｈ２よりも一回り大きく、かつ、中心座標が理想半田領域Ａｒｈ１，Ａｒｈ２の重心座標と同一の座標となる理想半田検査窓を生成する（図１５参照）。
【０１０４】
さらに、ステップＳ５６において、理想接着剤検査基準情報Ｋｒｓを生成する。すなわち、データ上における接着剤６ａの占める平面領域を理想接着剤領域Ａｒｓとして得た上で、理想接着剤領域Ａｒｓの形状と相似する形状であるとともに、理想接着剤領域Ａｒｓよりも一回り大きく、かつ、中心座標が理想接着剤領域Ａｒｓの重心座標と同一となる理想接着剤検査窓を理想接着剤検査基準情報Ｋｒｓとして生成する（図１６参照）。
【０１０５】
次に、ステップＳ５７において、実装位置調整情報Ｃｊｉを生成する。詳述すると、実装位置調整情報Ｃｊｉとして、ステップＳ５３にて生成された実半田位置情報Ｐｊｈ〔＝（ｘ，ｙ）〕と、ステップＳ３１にて生成された理想半田位置情報Ｐｒｈ〔＝（Ｌｘ，Ｌｙ）〕に基づくベクトル情報〔＝（Ｐｘ，Ｐｙ）〕が生成される（図１７参照）。
【０１０６】
図６に戻り、第二抽出生成処理に続くステップＳ１４において、生成された実装位置調整情報Ｃｊｉが適正であるか否かを判定する。例えば、実装位置調整情報Ｃｊｉの大きさなどをチェックする。実装位置調整情報Ｃｊｉが適正でない場合（ステップＳ１４：ＮＯ）、ステップＳ２１にて「印刷不良信号」を出力し、検査処理を終了する。
【０１０７】
一方、実装位置調整情報が適正である場合（ステップＳ１４：ＹＥＳ）、ステップＳ１５に移行し、設計データ等に基づき、電極部配置領域Ａｄｈ１，Ａｄｈ２を抽出する（図１８参照）。
【０１０８】
続くステップＳ１６では、実検査基準情報Ｋｊｈを生成する。本実施形態では、実検査基準情報Ｋｊｈ１，Ｋｊｈ２として、理想半田検査基準情報（理想半田検査窓）Ｋｒｈ１，Ｋｒｈ２を実装位置調整情報Ｃｊｉの分だけずらすことで得た実半田検査窓を生成する（図１９参照）。
【０１０９】
次いで、ステップＳ１７において、実検査基準情報Ｋｊｈ１，Ｋｊｈ２（実半田検査窓）を用いて、実半田領域Ａｊｈ１，Ａｊｈ２が適正であるか否かを判定する。すなわち、実検査基準情報Ｋｊｈ１，Ｋｊｈ２（実半田検査窓）に対して実半田領域Ａｊｈ１，Ａｊｈ２以外の領域の占める範囲割合が、予め設定された閾値を超えるか否かを判定する（図２０参照）。実検査基準情報Ｋｊｈ１に対する実半田領域Ａｊｈ１以外の領域の占める範囲割合が前記閾値以下であり、かつ、実検査基準情報Ｋｊｈ２に対する実半田領域Ａｊｈ２以外の領域の占める範囲割合が前記閾値以下である場合（ステップＳ１７：ＹＥＳ）、当該半田群５ａの印刷状態を「良」と判定し、ステップＳ１８に移行する。
【０１１０】
一方、実検査基準情報Ｋｊｈ１に対する実半田領域Ａｊｈ１以外の領域の占める範囲割合が前記閾値を超える場合、又は、実検査基準情報Ｋｊｈ２に対する実半田領域Ａｊｈ２以外の領域の占める範囲割合が前記閾値を超える場合（ステップＳ１７：ＮＯ）、半田群５の印刷状態を「不良」と判定する。その後、ステップＳ２１において、「印刷不良信号」を部品実装機２２に出力し、検査処理を終了する。
【０１１１】
実半田領域Ａｊｈ１，Ａｊｈ２が適正である場合（ステップＳ１７：ＹＥＳ）、ステップＳ１８にて、理想接着剤検査基準情報Ｋｒｓ（理想接着剤検査窓）を用いて、実接着剤領域Ａｊｓが適正であるか否かを判定する。具体的には、理想接着剤検査基準情報Ｋｒｓに対する実接着剤領域Ａｊｓ以外の領域の占める範囲割合が予め設定された所定の閾値を超えるか否かについて判定を行う（図２０参照）。そして、この判定条件を満たさず、実接着剤領域Ａｊｓが適正である場合（ステップＳ１８：ＹＥＳ）、接着剤６ａの塗布状態を「良」と判定した上で、ステップＳ１９へと移行する。
【０１１２】
一方、上記の判定条件を満たし、接着剤６ａの塗布状態が不適正である場合（ステップＳ１８：ＮＯ）、ステップＳ２２に移行する。そして、ステップＳ２２にて「塗布不良信号」を部品実装機２２に出力し、検査処理を終了する。
【０１１３】
ステップＳ１９では、接着剤６ａ及び半田３ａ，３ｂの位置関係が適正であるか否かを判定する。より詳しくは、実半田領域Ａｊｈ１，Ａｊｈ２と実接着剤領域Ａｊｓとの重なり領域の面積を求めるとともに、この重なり領域の面積が予め設定された所定の面積閾値を超えるか否かを判定する。ここで、重なり領域の面積が前記面積閾値を超えており、接着剤６ａ及び半田３ａ，３ｂの位置関係が適正でない場合（例えば、図２１に示すような状態である場合）、半田付け不良と判定する。その上で、ステップＳ２３にて「半田付け不良信号」を部品実装機２２に出力し、検査処理を終了する。尚、図２１及び図２２では、実半田領域Ａｊｈ１，Ａｊｈ２や実接着剤領域Ａｊｓの基板１における位置を示すべく、電極パターン２ａ，２ｂの外縁部を点線で示す。
【０１１４】
一方、重なり領域の面積が前記面積閾値以下であり、接着剤６ａ及び半田３ａ，３ｂの位置関係が適正である場合（ステップＳ１９：ＹＥＳ）、ステップＳ２０へと移行する。
【０１１５】
ステップＳ２０では、接着剤６ａ及び電極部配置領域Ａｄｈ１，Ａｄｈ２の位置関係が適正であるか否かを判定する。より詳しくは、実接着剤領域Ａｊｓと電極部配置Ａｄｈ１，Ａｄｈ２の重なり領域の面積を求めるとともに、この重なり領域の面積が予め設定された所定の面積閾値を超えるか否かを判定する。ここで、重なり領域の面積が前記面積閾値を超えており、接着剤６ａ及び電極部配置領域Ａｄｈ１，Ａｄｈ２の位置関係が適正でない場合（例えば、図２２に示すような状態である場合）、半田付け不良と判定する。その上で、ステップＳ２３にて「半田付け不良信号」を部品実装機２２に出力し、検査処理を終了する。
【０１１６】
一方、重なり領域の面積が前記面積閾値以下であり、接着剤６ａ及び電極部配置領域Ａｄｈ１，Ａｄｈ２の位置関係が適正である場合（ステップＳ２０：ＹＥＳ）、半田付けが良であると判定し、検査処理を終了する。
【０１１７】
以降においては、半田群５ａ以外のその他の半田群５及び接着剤６ａ以外のその他の接着剤６などに対し上述の検査処理が行われ、各判定の全てで「良」の判定がされた場合には、基板１は「良品」であると判定される。その上で、半田群５ごとに設定された複数の実装位置調整情報Ｃｊｉが部品実装機２２へと出力される。
【０１１８】
一方、各半田群５や各接着剤６などのいずれかが「不良」と判定された場合には、基板１は「不良」であると判断される。この場合には、実装位置調整情報Ｃｊｉは部品実装機２２へと出力されず、基板１に電子部品４が実装されないことになる。
【０１１９】
尚、部品実装機２２により電子部品４が実装された基板１は、上述の通り、リフロー装置１５へと送られる。そして、リフロー工程においてセルフアライメント効果が発揮されることで、図２３に示すように、電極パターン２上に半田３が配置され、ひいては電極部７が適正位置に配置される。その結果、電子部品４（図２３及び図２４では不図示）も適正位置に配置される。
【０１２０】
一方、仮に「半田付け不良」と判定された基板１へと電子部品４を実装した上で、当該基板１をリフロー工程へと送ると、セルフアライメント効果が発揮されることで、図２４に示すように、電極パターン２上に半田３が配置され、ひいては電極部７及び電子部品４が適正位置に配置される。そのため、一見すると半田３や電子部品４などが適正位置に配置されている状態に見えるが、実際には、半田３や電極部７に対し接着剤６が多量に付着し、導通不良が生じているおそれがある。そのため、上記の通り、「半田付け不良」と判定した場合には、電子部品４の実装を行わないこととしている。
【０１２１】
以上詳述したように、本実施形態によれば、接着剤６の硬化温度が半田３の溶融温度よりも高いものとされている。従って、セルフアライメント効果を発揮させることができる。
【０１２２】
その上で、実装位置調整情報Ｃｊｉとして、理想半田位置情報Ｐｒｈに対する実半田位置情報Ｐｊｈの位置ずれ量及び位置ずれ方向に基づいた情報が部品実装機２２に出力される。従って、セルフアライメント効果を考慮した位置に電子部品４を配置することができ、適正位置に対する電子部品４の搭載をより確実に図ることができる。また、検査処理において生成された情報を電子部品４の実装工程において活用することができるため、実装工程において検査処理と同様の処理を重複して行う必要がなくなり、生産効率の向上を図ることができる。
【０１２３】
一方、本実施形態では、セルフアライメント効果が発揮される条件ではあるが、接着剤６については、理想接着剤検査基準情報Ｋｒｓに基づき検査が行われる。すなわち、セルフアライメント効果が発揮される条件下であっても接着剤６が移動しない点を踏まえ、設計データや製造データ上における接着剤６の位置や領域（最終的に得られる基板１における接着剤６の理想的な位置や領域）に基づき、接着剤６の塗布状態が検査される。従って、接着剤６の塗布状態を適切に検査することができる。その結果、接着剤６が適切に塗布されていない基板１に対する電子部品４の実装などを防止することができ、歩留まりの向上や生産コストの増大抑制を図ることができる。
【０１２４】
また、上記のように接着剤６は理想接着剤検査基準情報Ｋｒｓに基づき検査される一方、半田群５の各半田３は、理想的な印刷状態の半田３に対する検査基準位置（理想半田検査基準情報Ｋｒｈ）を実装位置調整情報Ｃｊｉの分だけずらすことで得られた検査基準位置（実検査基準情報Ｋｊｈ）を基準として検査が行われる。すなわち、セルフアライメント効果が発揮され得る点を考慮し、実際に印刷されている半田３の位置に基づいて電子部品４（半田群５）単位で検査の基準位置を変更し、この変更した基準位置に基づいて各半田３の検査が行われる。従って、セルフアライメント効果を考慮して、半田３の印刷状態を適切に検査することができる。これにより、接着剤６の塗布状態を適切に検査できることと相俟って、歩留まりの向上及び生産コストの増大抑制をより効果的に図ることができる。
【０１２５】
さらに、接着剤６と半田３との重なり面積、及び、接着剤６と電極部７の配置予定領域との重なり面積に基づき、半田付けの良否が判定される。従って、リフロー工程後において、一見すると半田３や電子部品４などが適正位置に配置されている場合であっても、半田付けが実際には不良であるということを適切に把握できる。これにより、検査精度を高めることができる。
【０１２６】
尚、上記実施形態の記載内容に限定されず、例えば次のように実施してもよい。勿論、以下において例示しない他の応用例、変更例も当然可能である。
【０１２７】
（ａ）上記実施形態では、理想半田位置情報Ｐｒｈ及び実半田位置情報Ｐｊｈとして、半田群５ごとにそれぞれ１の座標情報が生成されるようになっている。これに対し、理想半田位置情報Ｐｒｈ及び実半田位置情報Ｐｊｈとして、半田群５に含まれる各半田３ごとに座標情報を生成することとしてもよい。例えば、理想半田位置情報Ｐｒｈとして、データ上における各半田３の重心座標を生成し、実半田位置情報Ｐｊｈとして、実際に印刷された各半田３の重心座標を生成してもよい。尚、理想半田位置情報の種別と、実半田位置情報の種別とは同一とする必要がある。
【０１２８】
また、上記のように理想半田位置情報Ｐｒｈ及び実半田位置情報Ｐｊｈとして複数の座標情報を生成する場合、理想半田検査基準情報Ｋｒｈや実装位置調整情報Ｃｊｉ、実検査基準情報Ｋｊｈに関しても適宜変更される。例えば、理想半田検査基準情報Ｋｒｈとして、理想半田領域Ａｒｈの重心座標と同一の座標が生成される。また、例えば、実装位置調整情報Ｃｊｉとして、半田群５ごとにベクトル情報〔＝（Ｑｘ，Ｑｙ）〕が生成される。このベクトル情報は、例えば、理想半田位置情報Ｐｒｈに対する実半田位置情報ＰｊｈのＸ軸方向に沿った位置ずれ量Δｘの平均値（Ｑｘ）と、Ｙ軸方向に沿った位置ずれ量Δｙの平均値（Ｑｙ）とからなる。さらに、実検査基準情報Ｋｊｈとして、理想半田検査基準情報Ｋｒｈ（座標情報）を、ベクトル情報だけずらした座標が生成される。
【０１２９】
そして、半田３の印刷状態の検査においては、実検査基準情報Ｋｊｈに対する実半田位置情報ＰｊｈのＸ軸方向及びＹ軸方向に沿った位置ずれ量のそれぞれの絶対値が予め設定された所定の閾値内であるか否かを判定することで、半田群５の印刷状態の良否を検査してもよい。具体的には、半田群５に含まれる各半田３において、各位置ずれ量がそれぞれ前記閾値以下である場合には、半田群５の印刷状態を「良」と判定し、半田群５に含まれる少なくとも１つの半田３において、各位置ずれ量の少なくとも１つが前記閾値を超える場合には、半田群５の印刷状態を「不良」と判定してもよい。
【０１３０】
加えて、理想接着剤検査基準情報Ｋｒｓとして、データ上における接着剤６の重心座標を生成し、実接着剤領域Ａｊｓとして、実際に塗布された接着剤６の重心座標を生成することとしてもよい。その上で、理想接着剤検査基準情報Ｋｒｓと実接着剤領域Ａｊｓとの位置ずれ量に基づき、接着剤６の塗布状態に関する良否を判定してもよい。
【０１３１】
（ｂ）上記実施形態では、半田群５及び接着剤６の全てに対し検査処理を行うこととしているが、オペレータ等によって選択された所定の半田群５及び接着剤６のみに対し検査処理を行うこととしてもよい。これにより、検査処理の簡素化を図ることができ、生産効率の向上を図ることができる。また、この場合において、検査対象となった半田群５以外の半田群５に係る実装位置調整情報Ｃｊｉとして、検査対象となった半田群５に係る実装位置調整情報Ｃｊｉの平均を用いることとしてもよい。
【０１３２】
（ｃ）上記実施形態では、実装位置調整情報Ｃｊｉとしてベクトル情報を生成するとともに、このベクトル情報の分だけ理想搭載位置情報をずらした位置に電子部品４を実装している。すなわち、理想搭載位置情報をＸ軸方向やＹ軸方向にずらした位置に電子部品４を実装している。これに対し、実装位置調整情報Ｃｊｉとして、回転角度情報を生成してもよい。例えば、理想半田領域Ａｒｈを示す座標の範囲を理想半田位置情報Ｐｒｈとし、実半田領域Ａｊｈを示す座標の範囲を実半田位置情報Ｐｊｈとした上で、データ上における電子部品４の中心を回転中心とした、理想半田位置情報Ｐｒｈに対する実半田位置情報Ｐｊｈの回転量及び回転方向を実装位置調整情報Ｃｊｉとして生成してもよい。そして、この回転量及び回転方向に基づいて、電子部品４の実装位置を調整してもよい。また、実装位置調整情報Ｃｊｉが、ベクトル情報と回転量及び回転方向に関する情報との双方を含むものであってもよい。
【０１３３】
（ｄ）上記実施形態では、実検査基準情報Ｋｊｈ（実半田検査窓）に対する実半田領域Ａｊｈ以外の領域の占める範囲割合が所定の閾値を超えるか否かで、半田群５の印刷状態に係る良否を判定している。これに対し、実検査基準情報Ｋｊｈ（実半田検査窓）の中心座標に対する実半田領域Ａｊｈの重心座標の位置ずれ量が所定の閾値を超えるか否かによって半田群５の印刷状態に係る良否を判定することとしてもよい。また、実検査基準情報Ｋｊｈ（実半田検査窓）に対する実半田領域Ａｊｈのマッチング率に基づいて、半田群５の印刷状態に係る良否を判定してもよい。
【０１３４】
さらに、これら良否判定手法を接着剤６の検査に対し適用してもよい。すなわち、理想接着剤検査基準Ｋｒｓ（理想接着剤検査窓）の中心座標に対する、実接着剤領域Ａｊｓの重心座標の位置ずれ量が所定の閾値を超えるか否かで、接着剤６の塗布状態に係る良否を判定してもよい。また、理想接着剤検査基準情報Ｋｒｓ（理想接着剤検査窓）に対する実接着剤領域Ａｊｓのマッチング率に基づいて、接着剤６の塗布状態に係る良否を判定してもよい。
【０１３５】
（ｅ）上記実施形態では特に記載していないが、「印刷不良信号」、「塗布不良信号」又は「半田付け不良信号」が出力された時点で、未検査の半田群５や接着剤６に対する検査処理をスキップし、基板検査装置２１による検査処理を終了することとしてもよい。この場合には、不良となる基板１に対し検査処理が継続されてしまうという事態を抑制することができ、検査効率の向上を図ることができる。
【０１３６】
（ｆ）上記実施形態では、理想半田検査基準情報Ｋｒｈ及び実検査基準情報Ｋｊｈが理想半田領域Ａｒｈよりも大きなものとされているが、理想半田検査基準情報Ｋｒｈ及び実検査基準情報Ｋｊｈを理想半田領域Ａｒｈと同じサイズとしてもよい。また、理想接着剤検査基準情報Ｋｒｓを理想接着剤領域Ａｒｓと同じサイズとしてもよい。
【０１３７】
（ｇ）上記実施形態では、理想半田領域Ａｒｈを生成した上で、理想半田領域Ａｒｈから理想半田位置情報Ｐｒｈを生成しているが、理想半田領域Ａｒｈを生成することなく、設計データや製造データから理想半田位置情報Ｐｒｈを直接生成することとしてもよい。
【０１３８】
（ｈ）上記実施形態では、理想半田領域Ａｒｈに基づき理想半田検査基準情報Ｋｒｈを生成しているが、記憶装置４２に対し予め検査基準位置や検査基準範囲についての情報を設計データや製造データとして記憶しておき、当該情報に基づいて、理想半田検査基準情報Ｋｒｈを生成することとしてもよい。
【０１３９】
（ｉ）上記実施形態では特に記載していないが、複数の半田群５の検査において「印刷不良信号」がそれぞれ出力された場合には、基板１に対してメタルスクリーンがずれて配置されていることが懸念される。そのため、このような場合においてメタルスクリーンのずれを修正すべく、各半田群５において生成された実装位置調整情報に基づいて、半田印刷機１１による半田印刷位置を調整（メタルスクリーンを移動）することとしてもよい。
【符号の説明】
【０１４０】
１…基板、３…クリーム半田（半田）、４…電子部品、５…半田群、６…接着剤、７…電極部、１２…半田印刷装置（半田印刷機）、２１…基板検査装置、２２…部品実装機、３２…照明装置（照射手段）、３３…ＣＣＤカメラ（撮像手段）、４５…画像処理手段（実半田位置情報生成手段）、４６…理想半田検査基準情報生成手段、４７…理想接着剤検査基準情報生成手段、Ａｊｈ…実半田領域、Ａｊｓ…実接着剤領域、Ａｒｈ…理想半田領域、Ａｒｓ…理想接着剤領域、Ｃｊｉ…実装位置調整情報、Ｋｊｈ…実検査基準情報、Ｋｒｈ…理想半田検査基準情報、Ｋｒｓ…理想接着剤検査基準情報、Ｐｊｈ…実半田位置情報、Ｐｒｈ…理想半田位置情報。